(57)【要約】  第１のデバイスは、ワイヤレス通信ネットワーク中の第１のデバイスと第２のデバイスとの間のピアツーピア通信接続のための接続識別子（ＣＩＤ）を選択し、利用するように構成される。ＣＩＤは所定のセットの複数のＣＩＤから選択される。接続識別子を選択する前に、第１のデバイスは、ＣＩＤが他の近くの接続によって利用されているかどうかを判断するために、ＣＩＤブロードキャストチャネルをモニタする。ＣＩＤが近傍の別の接続によって利用されていると判断された場合、異なる（未使用の）ＣＩＤが選択される。選択されたＣＩＤに応じて判断されるトラフィック管理チャネルスロット内の第１の送信リソースユニットを使用して、送信要求が第２のデバイスに送信される。第１のデバイスは、トラフィック管理チャネルスロットに対応するトラフィックチャネルスロット中でトラフィックデータを第２のデバイスに送信する。
2010533435.tif 000002
【特許請求の範囲】
【請求項１】
ワイヤレス通信ネットワーク中の第１のデバイスと第２のデバイスとの間のピアツーピア通信接続のための接続識別子を選択し、利用するための、前記第１のデバイスにおいて使用可能な方法であって、
所定のセットの複数の接続識別子から前記接続識別子を選択することと、
トラフィック管理チャネルスロット内のシンボルのサブセット中のトーンのサブセットであり、前記接続識別子に応じて判断される、第１の送信リソースユニットを使用して、前記第２のデバイスに送信要求信号を送信することと、
前記トラフィック管理チャネルスロット内のシンボルのサブセット中のトーンのサブセットであり、前記接続識別子に応じて判断される、第２の送信リソースユニット中で、要求応答信号が前記第２のデバイスから受信されたかどうかを判断するために、前記第１の送信リソースユニットに対応する前記第２の送信リソースユニットをモニタすることと、
前記要求応答信号が前記第２のデバイスから受信されたと判断された場合、前記トラフィック管理チャネルスロットに対応するトラフィックチャネルスロット中でトラフィックデータを前記第２のデバイスに送信することと、
を備える方法。
【請求項２】
共通のネットワークタイミングソースからブロードキャスト信号を受信することと、
時間カウンタの値を判断することと、
をさらに備え、
前記時間カウンタの前記値が前記受信したブロードキャスト信号に応じて判断され、前記第１および第２の送信リソースユニットも前記時間カウンタの前記値に応じて判断される、請求項１の方法。
【請求項３】
前記時間カウンタの所与の値に対して、異なる接続識別子によって判断される第１の送信リソースユニットは互いに独立であり、異なる接続識別子によって判断される第２の送信リソースユニットは互いに独立である、請求項２の方法。
【請求項４】
前記トラフィック管理チャネルスロットが複数のＯＦＤＭシンボルを含み、各ＯＦＤＭシンボルが複数のトーンを含み、前記第１および第２の送信リソースユニットの各々が、前記トラフィック管理チャネルスロット中の前記複数のシンボルのうちの１つの中に少なくとも１つのトーンを含む、請求項１の方法。
【請求項５】
異なる接続識別子が、前記第１または第２の送信リソースユニットのいずれかとして使用すべき前記トラフィック管理チャネルスロット中の、異なるトーンとＯＦＤＭシンボルとの組合せに対応する、請求項４の方法。
【請求項６】
前記所定のセットの複数の接続識別子の各々が、前記第１または第２の送信リソースユニットのいずれかとして使用すべき前記トラフィック管理チャネルスロット中の、トーンとＯＦＤＭシンボルとの一意の組合せに対応する、請求項５の方法。
【請求項７】
前記接続識別子を選択する前に、前記接続識別子が近傍の他の接続によって利用されているかどうかを判断するために、接続識別子ブロードキャストチャネルをモニタすることと、
前記接続識別子が近傍の別の接続によって利用されていないと判断された場合、前記接続識別子を選択することと、
をさらに備える、請求項１の方法。
【請求項８】
前記接続識別子が近傍の他の接続によって利用されているかどうかを判断することが、
前記接続識別子に対応する、前記接続識別子ブロードキャストチャネル中の接続識別子ブロードキャスト信号の存在を検出することと、
前記接続識別子ブロードキャスト信号の存在が検出された場合、前記接続識別子ブロードキャスト信号の信号強度を測定することと、
をさらに備える、請求項７の方法。
【請求項９】
前記接続識別子ブロードキャスト信号が存在しない場合、
前記接続識別子ブロードキャスト信号の前記信号強度が第１のしきい値を下回る場合、
前記接続識別子ブロードキャスト信号の信号強度と、別の接続識別子に対応する接続識別子ブロードキャスト信号の信号強度との比が第２のしきい値を下回る場合、
のうちのいずれか１つが成り立つ場合、前記接続識別子が近傍の他の接続によって利用されていないと判断される、請求項８の方法。
【請求項１０】
前記選択された接続識別子を示す制御情報を含む制御メッセージを前記第２のデバイスに送信すること、
をさらに備える、請求項６の方法。
【請求項１１】
前記制御メッセージは、前記第１のデバイスが、前記第２のデバイスとの接続を確立することを意図し、且つ、前記接続に関連する少なくとも１つの接続識別子として前記選択された接続識別子を使用することを提案することを示す、ページング要求メッセージである、請求項１０の方法。
【請求項１２】
前記制御メッセージは、前記第２のデバイスから受信されたページング要求メッセージに応答するものであって、前記第１のデバイスが、前記第２のデバイスとの接続を確立することに同意し、且つ、前記接続に関連する少なくとも１つの接続識別子として前記選択された接続識別子を使用することを提案することを示す、ページング応答メッセージである、請求項１０の方法。
【請求項１３】
前記送信要求信号が、複数の他のピアツーピア接続と共有される周波数域上で送信される、請求項１の方法。
【請求項１４】
ワイヤレス通信ネットワーク中の第１のデバイスと第２のデバイスとの間のワイヤレスピアツーピア通信接続のための接続識別子を選択し、利用するように構成された第１のデバイスであって、
前記ワイヤレスピアツーピア通信接続を確立するための送信機および受信機と、
ピアツーピア通信チャネルを介して前記送信機および受信機によってピアツーピア通信を実行するように適合され、
所定のセットの複数の接続識別子から前記接続識別子を選択し、
トラフィック管理チャネルスロット内のシンボルのサブセット中のトーンのサブセットであり、前記接続識別子に応じて判断される、第１の送信リソースユニットを使用して、前記第２のデバイスに送信要求信号を送信し、
前記トラフィック管理チャネルスロット内のシンボルのサブセット中のトーンのサブセットであり、前記接続識別子に応じて判断される、第２の送信リソースユニット中で、要求応答信号が前記第２のデバイスから受信されたかどうかを判断するために、前記第１の送信リソースユニットに対応する前記第２の送信リソースユニットをモニタし、
前記要求応答信号が前記第２のデバイスから受信されたと判断された場合、前記トラフィック管理チャネルスロットに対応するトラフィックチャネルスロット中でトラフィックデータを前記第２のデバイスに送信する、
ように構成された処理回路と、
を備える第１のデバイス。
【請求項１５】
前記処理回路が、
共通のネットワークタイミングソースからブロードキャスト信号を受信し、
時間カウンタの値を判断する、
ように構成され、
前記時間カウンタの前記値が前記受信したブロードキャスト信号に応じて判断され、前記第１および第２の送信リソースユニットも前記時間カウンタの前記値に応じて判断される、請求項１４の第１のデバイス。
【請求項１６】
前記時間カウンタの所与の値に対して、異なる接続識別子によって判断される第１の送信リソースユニットは互いに独立であり、異なる接続識別子によって判断される第２の送信リソースユニットは互いに独立である、請求項１５の第１のデバイス。
【請求項１７】
前記トラフィック管理チャネルスロットが複数のＯＦＤＭシンボルを含み、各ＯＦＤＭシンボルが複数のトーンを含み、前記第１および第２の送信リソースユニットの各々が、前記トラフィック管理チャネルスロット中の前記複数のシンボルのうちの１つの中に少なくとも１つのトーンを含む、請求項１４の第１のデバイス。
【請求項１８】
異なる接続識別子が、前記第１または第２の送信リソースユニットのいずれかとして使用すべき前記トラフィック管理チャネルスロット中の、異なるトーンとＯＦＤＭシンボルとの組合せに対応する、請求項１７の第１のデバイス。
【請求項１９】
前記所定のセットの複数の接続識別子の各々が、前記第１または第２の送信リソースユニットのいずれかとして使用すべき前記トラフィック管理チャネルスロット中の、トーンとＯＦＤＭシンボルとの一意の組合せに対応する、請求項１８の第１のデバイス。
【請求項２０】
前記処理回路が、
前記接続識別子が近傍の他の接続によって利用されているかどうかを判断するために、接続識別子ブロードキャストチャネルをモニタし、
前記接続識別子が近傍の別の接続によって利用されていないと判断された場合、前記接続識別子を選択する、
ようにさらに適合された、請求項１４の第１のデバイス。
【請求項２１】
前記接続識別子が近傍の他の接続によって利用されているかどうかを判断するために、前記処理回路が、
前記接続識別子に対応する、前記接続識別子ブロードキャストチャネル中の接続識別子ブロードキャスト信号の存在を検出し、
前記接続識別子ブロードキャスト信号の存在が検出された場合、前記接続識別子ブロードキャスト信号の信号強度を測定する、
ようにさらに適合された、請求項２０の第１のデバイス。
【請求項２２】
前記接続識別子ブロードキャスト信号が存在しない場合、
前記接続識別子ブロードキャスト信号の前記信号強度が第１のしきい値を下回る場合、
前記接続識別子ブロードキャスト信号の信号強度と、別の接続識別子に対応する接続識別子ブロードキャスト信号の信号強度との比が第２のしきい値を下回る場合、
のいずれかが成り立つ場合、前記処理回路が、前記接続識別子が近傍の他の接続によって利用されていないと判断する、請求項２１の第１のデバイス。
【請求項２３】
前記選択された接続識別子を示す制御情報を含む制御メッセージを前記第２のデバイスに送信する、
ように前記処理回路がさらに適合された、請求項１９の第１のデバイス。
【請求項２４】
前記制御メッセージは、第１のデバイスが前記第２のデバイスとの接続を確立することを意図し、且つ、前記接続に関連する少なくとも１つの接続識別子として前記選択された接続識別子を使用することを提案することを示す、ページング要求メッセージである、請求項２３の第１のデバイス。
【請求項２５】
前記制御メッセージは、前記第２のデバイスから受信されたページング要求メッセージに応答するものであって、前期第１のデバイスが、前記第２のデバイスとの接続を確立することに同意し、且つ、前記接続に関連する少なくとも１つの接続識別子として前記選択された接続識別子を使用することを提案することを示す、ページング応答メッセージである、請求項２３の第１のデバイス。
【請求項２６】
ワイヤレス通信ネットワーク中の第１のデバイスと第２のデバイスとの間のワイヤレスピアツーピア通信接続のための接続識別子を選択し、利用するように構成された第１のデバイスであって、
所定のセットの複数の接続識別子から前記接続識別子を選択するための手段と、
トラフィック管理チャネルスロット内のシンボルのサブセット中のトーンのサブセットであり、前記接続識別子に応じて判断される、第１の送信リソースユニットを使用して、送信要求信号を前記第２のデバイスに送信するための手段と、
前記トラフィック管理チャネルスロット内のシンボルのサブセット中のトーンのサブセットであり、前記接続識別子に応じて判断される、第２の送信リソースユニット中で、要求応答信号が前記第２のデバイスから受信されたかどうかを判断するために、前記第１の送信リソースユニットに対応する前記第２の送信リソースユニットをモニタするための手段と、
前記要求応答信号が前記第２のデバイスから受信されたと判断された場合、前記トラフィック管理チャネルスロットに対応するトラフィックチャネルスロット中でトラフィックデータを前記第２のデバイスに送信するための手段と、
を備える第１のデバイス。
【請求項２７】
共通のネットワークタイミングソースからブロードキャスト信号を受信するための手段と、
時間カウンタの値を判断するための手段と
をさらに備え、
前記時間カウンタの前記値が前記受信したブロードキャスト信号に応じて判断され、前記第１および第２の送信リソースユニットも前記時間カウンタの前記値に応じて判断される、請求項２６の第１のデバイス。
【請求項２８】
前記トラフィック管理チャネルスロットが複数のＯＦＤＭシンボルを含み、各ＯＦＤＭシンボルが複数のトーンを含み、前記第１および第２の送信リソースユニットの各々が、前記トラフィック管理チャネルスロット中の前記複数のシンボルのうちの１つの中に少なくとも１つのトーンを含む、請求項２６の第１のデバイス。
【請求項２９】
異なる接続識別子が、前記第１または第２の送信リソースユニットのいずれかとして使用すべき前記トラフィック管理チャネルスロット中の、異なるトーンとＯＦＤＭシンボルとの組合せに対応する、請求項２８の第１のデバイス。
【請求項３０】
前記所定のセットの複数の接続識別子の各々が、前記第１または第２の送信リソースユニットのいずれかとして使用すべき前記トラフィック管理チャネルスロット中の、トーンとＯＦＤＭシンボルとの一意の組合せに対応する、請求項２９の第１のデバイス。
【請求項３１】
前記接続識別子が近傍の他の接続によって利用されているかどうかを判断するために、接続識別子ブロードキャストチャネルをモニタするための手段と、
前記接続識別子が近傍の別の接続によって利用されていないと判断された場合、前記接続識別子を選択するための手段と、
をさらに備える、請求項１の第１のデバイス。
【請求項３２】
前記接続識別子が近傍の他の接続によって利用されているかどうかを判断することが、
前記接続識別子に対応する、前記接続識別子ブロードキャストチャネル中の接続識別子ブロードキャスト信号の存在を検出するための手段と、
前記接続識別子ブロードキャスト信号の存在が検出された場合、前記接続識別子ブロードキャスト信号の信号強度を測定するための手段と、
をさらに含む、請求項３１の第１のデバイス。
【請求項３３】
前記接続識別子ブロードキャスト信号が存在しない場合、
前記接続識別子ブロードキャスト信号の前記信号強度が第１のしきい値を下回る場合、
前記接続識別子ブロードキャスト信号の信号強度と、別の接続識別子に対応する接続識別子ブロードキャスト信号の信号強度との比が第２のしきい値を下回る場合、
のうちのいずれか１つが成り立つ場合、前記接続識別子が近傍の他の接続によって利用されていない、請求項３２の第１のデバイス。
【請求項３４】
ワイヤレスピアツーピア通信接続のための接続識別子を選択し、利用するための回路であって、第１のデバイス中で動作し、
所定のセットの複数の接続識別子から前記接続識別子を選択し、
トラフィック管理チャネルスロット内のシンボルのサブセット中のトーンのサブセットであり、前記接続識別子に応じて判断される、第１の送信リソースユニットを使用して、送信要求信号を第２のデバイスに送信し、
前記トラフィック管理チャネルスロット内のシンボルのサブセット中のトーンのサブセットであり、前記接続識別子に応じて判断される、第２の送信リソースユニット中で、要求応答信号が前記第２のデバイスから受信されたかどうかを判断するために、前記第１の送信リソースユニットに対応する前記第２の送信リソースユニットをモニタし、
前記要求応答信号が前記第２のデバイスから受信されたと判断された場合、前記トラフィック管理チャネルスロットに対応するトラフィックチャネルスロット中でトラフィックデータを前記第２のデバイスに送信する、
ように適合された回路。
【請求項３５】
共通のネットワークタイミングソースからブロードキャスト信号を受信し、
時間カウンタの値を判断する
ようにさらに適合され、
前記時間カウンタの前記値が前記受信したブロードキャスト信号に応じて判断され、前記第１および第２の送信リソースユニットも前記時間カウンタの前記値に応じて判断される、請求項３４の回路。
【請求項３６】
前記トラフィック管理チャネルスロットが複数のＯＦＤＭシンボルを含み、各ＯＦＤＭシンボルが複数のトーンを含み、前記第１および第２の送信リソースユニットの各々が、前記トラフィック管理チャネルスロット中の前記複数のシンボルのうちの１つの中に少なくとも１つのトーンを含む、請求項３４の回路。
【請求項３７】
異なる接続識別子が、前記第１または第２の送信リソースユニットのいずれかとして使用すべき前記トラフィック管理チャネルスロット中の、異なるトーンとＯＦＤＭシンボルとの組合せに対応する、請求項３６の回路。
【請求項３８】
前記接続識別子が近傍の他の接続によって利用されているかどうかを判断するために、接続識別子ブロードキャストチャネルをモニタし、
前記接続識別子が近傍の別の接続によって利用されていないと判断された場合、前記接続識別子を選択する、
ようにさらに適合された、請求項３４の回路。
【請求項３９】
第１のデバイスがワイヤレスピアツーピア通信接続のための接続識別子を選択し、利用するための命令を備える機械可読媒体であって、プロセッサによって実行されたときに、プロセッサに、
所定のセットの複数の接続識別子から前記接続識別子を選択させ、
トラフィック管理チャネルスロット内のシンボルのサブセット中のトーンのサブセットであり、前記接続識別子に応じて判断される、第１の送信リソースユニットを使用して、送信要求信号を第２のデバイスへ送信させ、
前記トラフィック管理チャネルスロット内のシンボルのサブセット中のトーンのサブセットであり、前記接続識別子に応じて判断される、第２の送信リソースユニット中で、要求応答信号が前記第２のデバイスから受信されたかどうかを判断するために、前記第１の送信リソースユニットに対応する前記第２の送信リソースユニットをモニタさせ、
前記要求応答信号が前記第２のデバイスから受信されたと判断された場合、前記トラフィック管理チャネルスロットに対応するトラフィックチャネルスロット中で、トラフィックデータを前記第２のデバイスへ送信させる、
機械可読媒体。
【請求項４０】
共通のネットワークタイミングソースからブロードキャスト信号を受信し、
時間カウンタの値を判断する、
ための命令をさらに備え、
前記時間カウンタの前記値が前記受信したブロードキャスト信号に応じて判断され、前記第１および第２の送信リソースユニットも前記時間カウンタの前記値に応じて判断され、
前記トラフィック管理チャネルスロットが複数のＯＦＤＭシンボルを含み、各ＯＦＤＭシンボルが複数のトーンを含み、前記第１および第２の送信リソースユニットの各々が、前記トラフィック管理チャネルスロット中の前記複数のシンボルのうちの１つの中に少なくとも１つのトーンを含む、請求項３９の機械可読媒体。
【発明の詳細な説明】
【技術分野】
【０００１】
米国特許法第１１９条に基づく優先権の主張
本特許出願は、本出願の譲受人に譲渡され、参照により本明細書に明白に組み込まれる、２００７年７月１０日に出願された「Ａｐｐａｒａｔｕｓ  ａｎｄ  Ｍｅｔｈｏｄ  ｏｆ  Ｇｅｎｅｒａｔｉｎｇ  ａｎｄ  Ｍａｉｎｔａｉｎｉｎｇ  Ｏｒｔｈｏｇｏｎａｌ  Ｔｒａｎｓｍｉｓｓｉｏｎ  Ｉｄｅｎｔｉｆｉｃａｔｉｏｎｓ  （ＩＤｓ）  ｆｏｒ  Ｗｉｒｅｌｅｓｓ  Ｎｅｔｗｏｒｋｓ」と題する米国仮出願第６０／９４８，８８２号の優先権を主張する。
【０００２】
技術分野
以下の説明は、一般に、ワイヤレス通信に関し、詳細には、アドホック通信とローカルアクセスポイント（ＡＰ）通信の両方が共存するワイヤレスネットワーク中で互いに独立した（orthogonal）伝送ＣＩＤを生成し、維持することに関する。
【背景技術】
【０００３】
ワイヤレス通信システムは、たとえば、ボイスおよび／またはデータがそのようなワイヤレス通信システムを介して提供されることができる、様々なタイプの通信を提供するために広く展開されている。典型的なワイヤレス通信システムまたはネットワークは、１つまたは複数の共有リソースへのアクセスを複数のユーザに提供することができる。たとえば、システムは、周波数分割多重（ＦＤＭ）、時分割多重（ＯＦＤＭ）などの様々な多元接続技法を使用することができる。
【０００４】
一般的なワイヤレス通信システムは、カバレージエリアを提供する１つまたは複数の基地局を使用する。典型的な基地局は、ブロードキャスト、マルチキャストおよび／またはユニキャストサービス用の複数のデータストリームを送信することができ、データストリームは、ワイヤレス端末の独立した受信対象となるデータのストリームとすることができる。そのような基地局のカバレージエリア内のワイヤレス端末は、複合ストリームによって搬送される１つ、２つ以上、またはすべてのデータストリームを受信するために使用されることができる。同様に、ワイヤレス端末は、データを基地局または別のワイヤレス端末に送信することができる。
【０００５】
ワイヤレス通信システムは、データを転送するためのワイヤレス周波数域の様々な部分を活用する。しかしながら、ワイヤレス周波数域は、費用のかかる貴重なリソースである。たとえば、ワイヤレス周波数域の一部分（たとえば、認可周波数域（licensed spectrum）の範囲内で）にわたってワイヤレス通信システムを動作させることを所望する企業によって、相当なコストが負われることがある。さらに、従来の技法は、一般に、ワイヤレス周波数域の非効率的な利用をもたらす。一般的な例によれば、ワイドエリアネットワークセルラー通信に割り当てられる周波数域は、しばしば、時間および空間にわたって一様に利用されず、したがって、周波数域の相当なサブセットが、所与の時間間隔中に所与の地理的ロケーションにおいて未使用であることがある。
【０００６】
別の例によれば、ワイヤレス通信システムは、ワイヤレス端末が信号を別のワイヤレス端末に直接転送することができるピアツーピアアーキテクチャまたはアドホックアーキテクチャをしばしば採用する。したがって、信号は基地局を通過する必要がなく、むしろ、互いの範囲内のワイヤレス端末は発見および／または通信を直接行うことができる。しかしながら、従来のピアツーピアネットワークは、一般に、各ピアが特定の時間に異なるタスクを実行することができる非同期方式で動作する。したがって、各ピアは、範囲内の異種ピアの識別および／または通信に関連する困難に遭遇したり、電力が非効率的に利用されたり、等々することがある。
【０００７】
したがって、共有周波数域（share frequency spectrum）を利用するピアツーピア通信ネットワーク内でピア識別子を割り当ておよび／または維持する方法が必要である。
【発明の概要】
【０００８】
以下で、いくつかの実施形態の基本的な理解を与えるために、１つまたは複数の実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００９】
ワイヤレスデバイス間のアドホックピアツーピア通信ネットワークでは、共有周波数域を同時に使用する近くのワイヤレスデバイス間の干渉を最小限に抑えるために互いに独立した接続識別子選択方式が実装される。この互いに独立した接続識別子方式では、ピアツーピア接続が、その近傍の他の接続によって接続識別子が使用されるのを回避する。
【００１０】
第１のデバイスは、ワイヤレス通信ネットワーク中の第１のデバイスと第２のデバイスとの間のピアツーピア通信接続のための接続識別子（ＣＩＤ）を選択し、利用するように構成される。接続識別子は、所定のセットの複数の接続識別子（ＣＩＤ）から選択されることができる。第１の送信リソースユニットを使用して送信要求信号が第２のデバイスに送信されることができる。第１の送信リソースユニットは、トラフィック管理チャネルスロット内のシンボルのサブセット中のトーンのサブセットであり、接続識別子に応じて判断される。第１の送信リソースユニットに対応する第２の送信リソースユニットは、要求応答信号が第２の送信リソースユニット中で第２のデバイスから受信されたかどうかを判断するために、第１のデバイスによってモニタされる。第２の送信リソースユニットは、トラフィック管理チャネルスロット内のシンボルのサブセット中のトーンのサブセットであり、接続識別子に応じて判断される。要求応答信号が第２のデバイスから受信されたと判断された場合、第１のデバイスは、トラフィック管理チャネルスロットに対応するトラフィックチャネルスロット中でトラフィックデータを第２のデバイスに送信する。
【００１１】
第１のデバイスはまた、共通のネットワークタイミングソースからブロードキャスト信号を受信し、受信したブロードキャスト信号に応じて時間カウンタの値を判断することができる。第１および第２の送信リソースユニットも時間カウンタの値に応じて判断されることができる。一例では、時間カウンタの所与の値に対して、異なる接続識別子によって判断される第１の送信リソースユニットは互いに独立であることができ、異なる接続識別子によって判断される第２の送信リソースユニットは互いに独立であることができる。トラフィック管理チャネルスロットは複数のＯＦＤＭシンボルを含むことができ、各ＯＦＤＭシンボルは複数のトーンを含み、第１および第２の送信リソースユニットの各々は、トラフィック管理チャネルスロット中の複数のシンボルのうちの１つの中に少なくとも１つのトーンを含む。異なる接続識別子は、第１または第２の送信リソースユニットのいずれかとして使用すべきトラフィック管理チャネルスロット中の、異なるトーンとＯＦＤＭシンボルとの組合せに対応することができる。所定のセットの複数の接続識別子の各々は、第１または第２の送信リソースユニットのいずれかとして使用すべきトラフィック管理チャネルスロット中の、トーンとＯＦＤＭシンボルとの一意の組合せに対応する。
【００１２】
接続識別子を選択する前に、第１のデバイスは、接続識別子が近傍の他の接続によって利用されているかどうかを判断するために、接続識別子ブロードキャストチャネルをモニタすることができる。接続識別子が近傍の別の接続によって利用されていないと判断された場合、第１のデバイスは接続識別子を選択する。接続識別子が近傍の他の接続によって利用されているかどうかを判断する際、第１のデバイスは、接続識別子に対応する、接続識別子ブロードキャストチャネル中の接続識別子ブロードキャスト信号の存在を検出することができる。接続識別子ブロードキャスト信号の存在が検出された場合、第１のデバイスは接続識別子ブロードキャスト信号の信号強度を測定することができる。
【００１３】
（ａ）接続識別子ブロードキャスト信号が存在しない場合、または（ｂ）接続識別子ブロードキャスト信号の信号強度が第１のしきい値を下回る場合、または（ｃ）接続識別子ブロードキャスト信号の信号強度と、別の接続識別子に対応する接続識別子ブロードキャスト信号の信号強度との比が第２のしきい値を下回る場合、のうちのいずれか１つが成り立つ場合、第１のデバイスは、接続識別子が近傍の他の接続によって利用されていないと判断することができる。
【００１４】
一例では、第１のデバイスは、選択された接続識別子を示す制御情報を含む制御メッセージを第２のデバイスに送信することができる。１つのモードでは、制御メッセージは、第１のデバイスが、第２のデバイスとの接続を確立することを意図し、且つ、接続に関連する少なくとも１つの接続識別子として選択された接続識別子を使用することを提案することを示す、ページング要求メッセージとすることができる。別のモードでは、制御メッセージは、第２のデバイスから受信されたページング要求メッセージに応答するものであって、第１のデバイスが、第２のデバイスとの接続を確立することに同意し、且つ、接続に関連する少なくとも１つの接続識別子として選択された接続識別子を使用することを提案することを示す、ページング応答メッセージとすることができる。
【００１５】
送信要求信号は、複数の他のピアツーピア接続と共有される周波数域上で送信されることができる。
【００１６】
本明細書で説明する様々な特徴は、ワイヤレスデバイス、ワイヤレスデバイスおよび／またはソフトウェア中に組み込まれる回路またはプロセッサ内に実装されることができる。
【００１７】
様々な特徴、特性、および利点は、全体を通じて同様の参照符号が同様のものを指す図面とともに、以下に記載する詳細な説明を読めば明らかになろう。
【図面の簡単な説明】
【００１８】
【図１】図1は、ワイドエリアネットワークに関連してアドホックピアツーピアネットワークがどのように実装されることができるかを示すブロック図である。
【図２】図２は、ワイヤレス端末間でピアツーピア通信接続が確立された後にトラフィックを移送するためにワイヤレス端末によって使用され得るトラフィックチャネルスロット用のタイミングシーケンスの一例を示している。
【図３】図３は、複数のワイヤレス端末が、他の近くのワイヤレス端末への干渉を引き起こすことがあるピアツーピア通信接続を確立し得る環境を示すブロック図である。
【図４】図４は、制御スロットがトラフィックスロット間に時々挿入されるチャネルアーキテクチャの一例を示している。
【図５】図５は、制御またはトラフィックチャネル間隔中にピアツーピアネットワークを介して信号を送信および／または受信するのに利用可能な例示的な時間−周波数（グリッド）リソースを示している。
【図６】図６は、ＣＩＤブロードキャスト期間とページング期間とを含むＣＩＤブロードキャスト用のタイミングシーケンスの一例を示している。
【図７】図７は、各部分が全伝送ＣＩＤ空間をカバーする２部ＣＩＤブロードキャスト構造の一例を示している。
【図８】図８は、各部分が全伝送ＣＩＤ空間をカバーする４部ＣＩＤブロードキャスト構造の一例を示している。
【図９Ａ】図９Ａは、端末間のピアツーピア通信接続内の互いに独立した伝送ＣＩＤの使用を示すブロック図である。
【図９Ｂ】図９Ｂは、端末間のピアツーピア通信接続内の互いに独立した伝送ＣＩＤの使用を示すブロック図である。
【図１０】図１０は、ピアツーピアネットワーク中でチャネル衝突および干渉を回避するための、第１のデバイスにおいて使用可能な方法を示している。
【図１１】図１１は、接続識別子がピアツーピアネットワーク内の別の接続によって使用されているかまたは使用されていないかを判断するための方法を示している。
【図１２】図１２は、端末間のピアツーピア通信接続内の互いに独立した伝送ＣＩＤの別の使用法を示すブロック図である。
【図１３】図１３は、ワイヤレス通信ネットワーク中の第１のデバイスと第２のデバイスとの間のピアツーピア通信接続のための接続識別子を維持するための、第１のデバイスを動作させる方法を示している。
【図１４】図１４は、端末間のピアツーピア通信接続内の互いに独立した伝送ＣＩＤの別の使用法を示すブロック図である。
【図１５】図１５は、ワイヤレス通信ネットワーク中の第１のデバイスと第２のデバイスとの間のピアツーピア通信接続のための接続識別子を選択し、利用するための、第１のデバイスにおいて使用可能な方法を示している。
【図１６】図１６は、互いに独立したＣＩＤを使用するトラフィック管理チャネルを示す図である。
【図１７】図１７は、ピアツーピアネットワーク中で互いに独立した伝送ＣＩＤ選択を実行するように構成されることができるワイヤレス端末の例を示すブロック図である。
【図１８】図１８は、ピアツーピアネットワーク中で互いに独立した伝送ＣＩＤ選択を実行するように構成できるワイヤレス端末の別の実施形態のブロック図である。
【発明を実施するための形態】
【００１９】
次に、図面を参照しながら様々な実施形態について説明するが、全体にわたって同様の要素を指すのに同様の参照符号を使用する。以下の記述では、説明の目的で、１つまたは複数の実施形態の完全な理解を与えるために多数の具体的な詳細が記載される。ただし、そのような（１つまたは複数の）実施形態は、これらの具体的な詳細なしに実施できることは明らかであろう。他の例では、１つまたは複数の実施形態の説明を円滑にするために、よく知られた構造およびデバイスはブロック図の形態で示される。
【００２０】
一実施形態では、送信機／受信機ペアのための互いに独立した伝送接続識別子（ＣＩＤ）を生成することと、送信機の送信意図をシグナリングすることとを備える、ワイヤレスネットワーク中で送信機／受信機ペアのための伝送ＣＩＤを生成する装置および方法が開示される。この実施形態は、２ホップ隣接（two-hop neighborhood）において互いに衝突する可能性がない送信接続ＣＩＤを生成する。送信機は、ある近隣ノードとの会話を開始しようとするとき、まずその近傍で使用されていない決定性伝送ＣＩＤをつかむ。これは、たとえば移動体が会話を開始するために互いにピングするページング期間と同じにされる、ＣＩＤブロードキャスト期間を使用することによって行われることができる。ページング期間の直後に、カレントユーザは、ＣＩＤブロードキャスト期間中に使用している伝送ＣＩＤをブロードキャストし、新しい送信機／受信機ペアは、この期間中にリッスンする。次いで、送信機／受信機は、それらが伝送ＣＩＤ判断期間中に参照するＣＩＤとＣＩＤブロードキャスト期間中に参照するＣＩＤを交換し、未使用のＣＩＤを一緒に選択する。
【００２１】
別の実施形態では、ワイヤレス端末は、ワイヤレスネットワーク中の送信機／受信機として動作するように構成され、送信機／受信機ペアのための互いに独立した伝送ＣＩＤを検出するための手段と、送信機の送信意図をシグナリングするための手段とを備える。ワイヤレス端末は、伝送ＣＩＤ判断期間中に伝送ＣＩＤをリッスンするための手段と、送信機／受信機ペアのための未使用の伝送ＣＩＤを選択するための手段とをさらに備えることができる。
【００２２】
上記および関連する目的を達成するために、１つまたは複数の実施形態は、以下で十分に説明し、特に特許請求の範囲で指摘される特徴を備える。以下の説明および添付の図面は、１つまたは複数の実施形態のいくつかの例示的な態様を詳細に記載する。ただし、これらの態様は、様々な実施形態の原理を使用することができる様々な方法のほんのいくつかを示すものであり、説明する実施形態は、すべてのそのような態様およびそれらの均等物を含むものとする。
【００２３】
アドホック通信システム
アドホックピアツーピアワイヤレスネットワークは、中央集中型ネットワークコントローラの介入なしに２つ以上の端末間で確立されることができる。いくつかの例では、ワイヤレスネットワークは、複数のワイヤレス端末間で共有される周波数域内で動作することができる。
【００２４】
図１は、たとえばワイドエリアネットワークに関連して、アドホックピアツーピアネットワークがどのように実装されるかを示すブロック図である。いくつかの例では、ピアツーピアネットワークとワイドエリアネットワークは同じ周波数域を共有することができる。他の例では、ピアツーピアネットワークは、異なる周波数域において、たとえば、ピアツーピアネットワークの使用に専用の域において、動作される。通信システム１００は、１つまたは複数のワイヤレス端末ＷＴ−Ａ  １０２、ＷＴ−Ｂ  １０６、およびＷＴ−Ｃ  １１２を含むことができる。ちょうど３つのワイヤレス端末ＷＴ−Ａ  １０２、ＷＴ−Ｂ  １０６、およびＷＴ−Ｃ  １１２が示されているが、通信システム１００は任意の数のワイヤレス端末を含むことができることを諒解されたい。ワイヤレス端末ＷＴ−Ａ  １０２、ＷＴ−Ｂ  １０６、およびＷＴ−Ｃ  １１２は、たとえば、セルラー電話、スマートフォン、ラップトップ、ハンドヘルド通信装置、ハンドヘルドコンピューティング装置、衛星ラジオ、全地球測位システム、ＰＤＡ、および／またはワイヤレス通信システム１００を介して通信するのに適した他の装置とすることができる。
【００２５】
一例によれば、通信システム１００は、１つまたは複数のアクセスノードＡＮ−Ａ  １０４およびＡＮ−Ｂ  １１０（たとえば、基地局、アクセスポイントなど）、ならびに／あるいは、互いにおよび／または１つまたは複数のワイヤレス端末ＷＴ−Ａ  １０２、ＷＴ−Ｂ  １０６、およびＷＴ−Ｃ  １１２にワイヤレス通信信号を受信、送信、反復などする１つまたは複数のセクタ／セル／領域中の任意の数の異種アクセスノード（図示せず）を含むことができるワイドエリアネットワーク（ＷＡＮ）をサポートすることができる。各アクセスノードＡＮ−Ａ  １０４およびＡＮ−Ｂ  １１０は、送信機チェーンおよび受信機チェーンを備えることができ、送信機チェーンおよび受信機チェーンの各々は、当業者なら諒解するように、信号送信および受信に関連する複数のコンポーネント（たとえば、プロセッサ、変調器、マルチプレクサ、復調器、デマルチプレクサ、アンテナなど）を備えることができる。随意の特徴によれば、ＷＡＮを介して通信するとき、通信システム１００によってサポートされるワイドエリアインフラストラクチャネットワークを介して通信する場合、（１つまたは複数の）ワイヤレス端末は、アクセスノードに信号を送信し、および／またはアクセスノードから信号を受信することができる。たとえば、ワイヤレス端末ＷＴ−Ａ  １０２およびＷＴ−Ｂ  １０６は、アクセスノードＡＮ−Ａ  １０４を介してネットワークと通信することができ、ワイヤレス端末ＷＴ−Ｃ  １１２は、異なるアクセスノードＡＮ−Ｂ  １１０と通信することができる。
【００２６】
ワイヤレス端末は、ローカルエリアピアツーピア（Ｐ２Ｐ）ネットワーク（たとえば、アドホックネットワーク）を介して互いに直接通信することもできる。ピアツーピア通信は、ワイヤレス端末間で信号を直接転送することによって実施されることができる。したがって、信号は、アクセスノード（たとえば、基地局）または中央管理ネットワークを通過する必要がない。ピアツーピアネットワークは、（たとえば、家庭、オフィスなどのタイプの環境内で）短距離の高データ転送速度通信を提供することができる。たとえば、ワイヤレス端末ＷＴ−Ａ  １０２とＷＴ−Ｂ  １０６とは、第１のピアツーピアネットワーク１０８を確立することができ、ワイヤレス端末ＷＴ−Ｂ  １０６とＷＴ−Ｃ  １１２とは、第２のピアツーピアネットワーク１１４を確立することもできる。
【００２７】
さらに、各ピアツーピアネットワーク接続１０８および１１４は、同様の地理的エリア内（たとえば、互いの範囲内）にワイヤレス端末を含むことができる。しかしながら、ワイヤレス端末は、共通のピアツーピアネットワーク中に含まれるべき同じセクタおよび／またはセルに関連しなくてもよいことを諒解されたい。さらに、あるピアツーピアネットワークが別のより大きいピアツーピアネットワークに重なるかまたはそれに包含される領域内で生じ得るように、ピアツーピアネットワークは重なることができる。さらに、ワイヤレス端末は、ピアツーピアネットワークによってサポートされないことがある。ワイヤレス端末は、そのようなネットワークが（たとえば、同時にまたは連続的に）重なるワイドエリアネットワークおよび／またはピアツーピアネットワークを使用することができる。その上、ワイヤレス端末は、そのようなネットワークをシームレスに切り替えるか、または同時に活用することができる。したがって、ワイヤレス端末は、送信側かおよび／または受信側かにかかわらず、通信を最適化するためにネットワークの１つまたは複数を選択的に使用することができる。
【００２８】
ワイヤレス端末間のピアツーピア通信は、同期式とすることができる。たとえば、ワイヤレス端末ＷＴ−Ａ  １０２とＷＴ−Ｂ  １０６は、別個の機能のパフォーマンスを同期させるために共通のクロック基準を利用することができる。ワイヤレス端末ＷＴ−Ａ  １０２およびＷＴ−Ｂ  １０６は、アクセスノードＡＮ−Ａ  １０４からタイミング信号を得ることができる。ワイヤレス端末ＷＴ−Ａ  １０２およびＷＴ−Ｂ  １０６は、他のソース、たとえば、ＧＰＳ衛星またはテレビジョン放送局からタイミング信号を得ることもできる。一例によれば、ピア発見、ページング、およびトラフィックなどの機能のために、時間は、ピアツーピアネットワーク中で有意義に区分されることができる。さらに、各ピアツーピアネットワークが、それ自体の時間を設定することができることが企図される。
【００２９】
ピアツーピア接続におけるトラフィックの通信が行われる前に、２つのピアワイヤレス端末は互いを検出し、識別することができる。ピア間でのこの相互の検出および識別が行われるプロセスはピア発見と呼ばれることがある。通信システム１００は、ピアツーピア通信を確立することを所望するピアが、短いメッセージを周期的に送信し、他のピアの送信をリッスンすることを規定することによって、ピア発見をサポートすることができる。たとえば、ワイヤレス端末ＷＴ−Ａ  １０２（たとえば、送信側ワイヤレス端末）は、（１つまたは複数の）他のワイヤレス端末ＷＴ−Ｂ  １０６（たとえば、（１つまたは複数の）受信側ワイヤレス端末）に信号を周期的にブロードキャストまたは送信することができる。これにより、受信側ワイヤレス端末ＷＴ−Ｂ  １０６が送信側ワイヤレス端末ＷＴ−Ａ  １０２の近傍にある場合、受信側ワイヤレス端末ＷＴ−Ｂ  １０６は送信側ワイヤレス端末ＷＴ−Ａ  １０２を識別することが可能になる。識別の後、アクティブなピアツーピア接続１０８が確立されることができる。
【００３０】
ピア発見のための送信は、ピア発見間隔と呼ばれる指定された時間中に周期的に行われ、ピア発見間隔のタイミングは、プロトコルによって事前決定され、ワイヤレス端末ＷＴ−Ａ  １０２およびＷＴ−Ｂ  １０６に知られているとすることができる。ワイヤレス端末ＷＴ−Ａ  １０２およびＷＴ−Ｂ  １０６はそれぞれ、それら自体を識別するためにそれぞれの信号を送信することができる。たとえば、各ワイヤレス端末ＷＴ−Ａ  １０２およびＷＴ−Ｂ  １０６は、ピア発見間隔の一部分の間に信号を送信することができる。さらに、各ワイヤレス端末ＷＴ−Ａ  １０２およびＷＴ−Ｂ  １０６は、ピア発見間隔の残りにおいて他のワイヤレス端末によって送信される可能性がある信号をモニタすることができる。一例によれば、この信号はビーコン信号とされることができる。別の例として、ピア発見間隔は、いくつかのシンボル（たとえば、ＯＦＤＭシンボル）を含むことができる。各ワイヤレス端末ＷＴ−Ａ  １０２は、そのワイヤレス端末ＷＴ−Ａ  １０２による送信のためのピア発見間隔中に少なくとも１つのシンボルを選択することができる。その上、各ワイヤレス端末ＷＴ−Ａ  １０２は、そのワイヤレス端末ＷＴ−Ａ  １０２によって選択されたシンボル中の１つのトーンにおいて対応する信号を送信することができる。
【００３１】
ローカルエリアピアツーピアネットワークとワイドエリアネットワークは、通信を実施するために共通のワイヤレス域を共有することができ、したがって、異種タイプのネットワークを介してデータを転送するために帯域幅が共有されることができる。たとえば、ピアツーピアネットワークとワイドエリアネットワークは、両方とも、認可周波数域上で通信することができる。ただし、ピアツーピア通信はワイドエリアネットワークインフラストラクチャを利用する必要もない。
【００３２】
ワイヤレス端末は、互いを発見した後、続いて接続を確立することができる。いくつかの例では、接続は２つのワイヤレス端末をリンクし、たとえば、図１では、接続１０８はワイヤレス端末ＷＴ−Ａとワイヤレス端末ＷＴ−Ｂとをリンクする。次いで、端末ＷＴ−Ａ  １０２は、接続１０８を使用してトラフィックを端末ＷＴ−Ｂ  １０６に送信することができる。端末ＷＴ−Ｂ  １０６も、接続１０８を使用してトラフィックを端末ＷＴ−Ａ  １０２に送信することができる。
【００３３】
図２は、ワイヤレス端末間でピアツーピア通信接続が確立された後、トラフィックを移送するためにワイヤレス端末によって使用されるトラフィックチャネルスロット用のタイミングシーケンスの一例を示している。各トラフィックチャネルスロット２１０は、トラフィック管理チャネル２０１とトラフィックチャネル２０３とを含むことができる。トラフィック管理チャネル２０１は、トラフィックチャネル２０６におけるトラフィックデータ送信に関係するシグナリングに使用される。接続スケジューリングセグメント２０２とレートスケジューリングセグメント２０４と肯定応答セグメント２０８とが集合的にトラフィック管理チャネル２０１と呼ばれる。データ送信セグメント２０６は、トラフィックチャネル２０３と呼ばれることがある。図２に示す接続スケジューリングセグメント２０２、レートスケジューリングセグメント２０４、データセグメント２０６および肯定応答２０８は、トラフィックスロットを備える。
【００３４】
接続スケジューリングセグメント２０２は、（ピアツーピア接続における）その受信機端末に、トラフィックデータを送信する準備ができていることを示すために、送信機端末によって使用される。レートスケジューリングセグメント２０４は、（ピアツーピア接続における）送信機／受信機端末が、トラフィックデータを伝送する際に使用すべき伝送速度および／または電力を得ることを可能にする。次いで、データ送信セグメント２０６は、得られた伝送速度および／または電力で所望のトラフィックデータを送信するために使用される。肯定応答セグメント２０８は、トラフィックデータがデータ送信セグメント２０６中で受信されたか、または受信されていないかを示すために、受信機端末によって使用される。一例では、トラフィックスロットの持続時間（time duration）は約２ミリ秒である。トラフィックスロット２１０が時間とともに反復するので、図２に示す時間シーケンス構造はトラフィックスロットの１つの期間を示している。トラフィックスロット２１０中のトラフィックデータを送信するより前に、送信機端末および受信機端末は、（図４の）制御スロット４０４を介してピアツーピア接続を確立している場合があることに留意されたい。
【００３５】
伝送ＣＩＤを使用する衝突緩和
アドホックピアツーピア通信システムでは、空間と時間の両方において共有される周波数域リソースを使用して複数の通信が行われることができる。アドホックピアツーピアネットワークの分散性質のために、ワイヤレス端末間の送信に使用されるチャネル割当て（たとえば、スロット）を制御することが常に可能であるとは限らない。中央当局が存在しないワイヤレスネットワークでは、干渉の回避および／または管理が、ネットワークパフォーマンスの効率を維持するための主要な特徴である。
【００３６】
図３は、複数のワイヤレス端末が、他の近くのワイヤレス端末への干渉を引き起こすことがあるピアツーピア通信接続を確立することがある環境を示すブロック図である。ピアツーピアネットワーク３００は、周波数域を共有および／または同時に使用することができる複数のワイヤレス端末を含むことができる。共有周波数域は、１つまたは複数の送信チャネルおよび／または制御チャネルを含むことができ、各送信（トラフィック）チャネルは対応するトラフィック管理チャネルを有する。一例では、トラフィック管理チャネルは、対応する送信（トラフィック）チャネルを介した通信のトラフィック要求を送信するために使用されることができる。
【００３７】
一例では、第１のワイヤレス端末ＷＴ  Ａ  ３０２が３１０を第２のワイヤレス端末ＷＴ  Ｂ  ３０４に送信しようと試みており、同時に、第３のワイヤレス端末ＷＴ  Ｃ  ３０６が同じトラフィック帯域幅リソースを使用して３１４を第４のワイヤレス端末ＷＴ  Ｄ  ３０８に送信しようと試みている。第１のワイヤレス端末ＷＴ  Ａ  ３０２が意図された送信機と呼ばれ、第２のワイヤレス端末ＷＴ  Ｂ  ３０４が意図された受信機と呼ばれ、第３のワイヤレス端末ＷＴ  Ｃ  ３０６が干渉物と考えられることができる。このピアツーピアネットワーク３００では、送信チャネルと制御チャネルのペアは、複数のワイヤレス端末ＷＴ  Ａ、ＷＴ  Ｂ、ＷＴ  Ｃ、およびＷＴ  Ｄによって共有されることができる。しかしながら、そのような送信（トラフィック）チャネルおよび／または制御チャネルがワイヤレス端末によって共有される（たとえば、周波数域の共有）ので、ワイヤレス端末間に不要な干渉３１４’および３１０’を生じることもある。たとえば、送信３１０と送信３１４の両方が実際に行われる場合、第３のワイヤレス端末ＷＴ  Ｃ  ３０６からの信号３１４’は、第２のワイヤレス端末ＷＴ  Ｂ  ３０４受信機への干渉として見られ、第１のワイヤレス端末ＷＴ  Ａ  ３０２からの所望の信号３１０を正常に回復するその能力を劣化させることがある。したがって、第３のワイヤレス端末ＷＴ  Ｃ  ３０６から第２のワイヤレス端末ＷＴ  Ｂ  ３０４への干渉を管理するための、ある干渉管理プロトコルが必要である。干渉管理プロトコルの１つの目的は、第３のワイヤレス端末ＷＴ  Ｃ  ３０６が第２のワイヤレス端末ＷＴ  Ｂ  ３０４への過大な干渉を生じることなく送信することを可能にし、それによって全体的なスループットを高め、システムパフォーマンスを改善することである。同時に、第１のワイヤレス端末ＷＴ  Ａ  ３０２が第４のワイヤレス端末ＷＴ  Ｄ  ３０８への干渉３１０’を引き起こすこともあり、同様の干渉管理プロトコルがその干渉を制御するためにも使用されることができることにも留意されたい。
【００３８】
集中トラフィック管理当局がないので、ＷＴ  Ａ  ３０２とＷＴ  Ｃ  ３０６が同じまたは重複するチャネル上で送信することがあり、それによって互いに干渉を引き起こす可能性がある。たとえば、偶然に、ＷＴ  Ａ  ３０２とＷＴ  Ｃ  ３０６の両方が同じ伝送ＣＩＤを使用することがある。伝送ＣＩＤは、特定の送信チャネル（たとえば、周波数またはタイムスロット）を受信側端末ＷＴ  Ｂ  ３０４および３０８に示すために使用されることができる。その結果、同じ伝送ＣＩＤが２つの端末によって使用された場合、それらが同じチャネルまたは重複するチャネル上で同時に送信していることもある。送信端末ＷＴ  Ａ  ３０２とＷＴ  Ｃ  ３０６の両方が受信機端末ＷＴ  Ｂ  ３０４および／またはＷＴ  Ｄ  ３０８の範囲内にある場合、受信機端末ＷＴ  Ｂ  ３０４および／またはＷＴ  Ｄ  ３０８は干渉を知覚することができる。
【００３９】
特に、複数のワイヤレス端末が、意図されたピアからの送信と意図されていないピアからの送信とを識別することなく共有周波数内のチャネルを選択することを可能にする方法が必要である。
【００４０】
チャネルアーキテクチャ
図４は、制御スロットがトラフィックスロット間に時々挿入されるチャネルアーキテクチャの一例を示している。トラフィックスロット４０２は、送信機端末が送信チャネルを介してピアツーピアトラフィックデータを受信機端末に送信することができる時間間隔である。一例では、各トラフィックスロット４０２は図２に示す通りであることができる。各トラフィックスロットは２ミリ秒（ｍｓ）の長さとすることができる。トラフィックスロット４０２は、データトラフィックが送信されるトラフィックチャネル部分と、スケジューリングおよび干渉管理が行われるトラフィック管理チャネル部分とを含むことができる。
【００４１】
各制御スロット４０４は、ＣＩＤブロードキャストチャネル４０６と、ページングチャネル４０８とを含むことができる。制御スロット４０４は、トラフィックスロットよりもはるかに長い間隔で生じることができる。たとえば、制御スロット４０４は、ほぼ毎秒生じることができる。制御スロット４０４は、送信機端末と受信機端末との間のピアツーピア接続を確立し、維持する働きをすることができる。ＣＩＤブロードキャストチャネル４０６は、近くの接続によって使用中であるピアツーピア接続識別子（ＣＩＤ）を示すと共に、ピアツーピア接続がまだ機能しているかどうかを示すために使用されることができる。たとえば、送信機端末および受信機端末は、どのＣＩＤが使用中であるかを判断するためにＣＩＤブロードキャストチャネル４０６をモニタすることができる。ページングチャネル４０８は、新しいピアツーピア接続用の新しいＣＩＤを確立するために送信機端末および受信機端末によって使用され、ページング要求チャネルとページング応答チャネルとを含むことができる。制御スロット４０４は、トラフィックスロット４０２よりもはるかに長い間隔で生じることができる。たとえば、制御スロット４０４は、ほぼ毎秒生じることができる。
【００４２】
図５は、信号送信に関連する例示的な時間−周波数グリッド５００を示している。例示的な信号は、ＯＦＤＭ信号とすることができる。時間−周波数グリッド５００は、たとえば、制御スロット（たとえば、図４の制御スロット４０４）中および／またはトラフィックチャネルスロット（トラフィック管理チャネル２０１内の図２のトラフィックスロット２１０）中に、ピアツーピアネットワークを介して信号を送信および／または受信するために利用可能なリソースである。ｘ軸は時間を表し、Ｎ個のシンボル（たとえば、Ｎは任意の整数とすることができる）を含むことができ、ｙ軸は周波数を表し、Ｍ個のトーン（たとえば、Ｍは任意の整数とすることができる）を含むことができる。
【００４３】
送信機端末および／または受信機端末は、トラフィック管理チャネルにおいて時間−周波数グリッド５００を使用することができる。たとえば、時間−周波数グリッドは、端末がＣＩＤに対応するＣＩＤリソースユニットを選択することができるＣＩＤリソース空間と考えることができる。たとえば、トラフィックスロット中で、送信機端末は、ＣＩＤに関連する接続の対応する受信機端末に送信要求を信号送信するためにＣＩＤリソースユニットを選択することができる。同様に、受信機端末は、要求応答を送信機端末に信号送信するためにＣＩＤリソースユニットを選択することができる。送信機端末がトラフィック管理チャネルの総時間−周波数グリッドの内の固定サブセット中のＣＩＤリソースユニットを選択し、受信機端末がトラフィック管理チャネルの総時間−周波数グリッドの内の異なる固定サブセット中のＣＩＤリソースユニットを選択するように、送信機端末にとって利用可能なＣＩＤリソースユニットと受信機端末にとって利用可能なＣＩＤリソースユニットとが固定の方法で事前に区分されることができる。そのようなＣＩＤリソース空間は、たとえば、（図４の）制御スロット４０４および／または（図２のトラフィック管理チャネル２０１内の）トラフィックスロット２１０中で送信されることができる。
【００４４】
ＣＩＤリソースユニットは、時間−周波数組合せ即ちシンボル−トーン組合せによって規定できる。一例によれば、制御スロットまたはトラフィックスロットのトラフィック管理部分において、端末は、ワイヤレス端末の識別子、またはワイヤレス端末を利用しているユーザの識別子、および／または現在のスロット間隔を識別するためにピアツーピアネットワーク内で通常理解され得る時間変数（たとえば、時間カウンタ）に基づいて、送信のための特定のシンボル（たとえば、送信時間）を選択することができる。さらに、選択されたシンボルに対応する特定のトーンが（たとえば、識別子および／または時間変数に基づいて）判断されることができる。さらなる例によれば、識別子および時間変数のハッシュ関数が、選択されたシンボル位置および／またはトーン位置を生じることができる。たとえば、所与の接続に対して、時間変数が第１の値をとる場合、ワイヤレス端末が図５に示す単一のトーン信号Ｐ１をＣＩＤリソースユニットとして送信するように、ハッシュ関数はシンボルｘ１およびトーンｙ１を生じることができる。時間変数が第２の値をとる場合、ワイヤレス端末が図５に示す単一のトーン信号Ｐ２をＣＩＤリソースユニットとして送信するように、ハッシュ関数はシンボルｘ２およびトーンｙ２を生じることができる。
【００４５】
互いに独立した伝送ＣＩＤを使用する衝突回避
１つの特徴は、２ホップ隣接において互いに衝突する可能性がない伝送ＣＩＤを生成することを提供する。衝突の可能性をより小さくするように各Ｔｘ／Ｒｘ端末ペアがその近傍の他のものによって使用されていない送信または接続ＣＩＤを選択する、伝送ＣＩＤの互いに独立したセットを生成し、維持することによって干渉の緩和が可能になる。すなわち、伝送ＣＩＤの互いに独立したセットを生成し、維持するというこの特徴は、２つ以上のＴｘ／Ｒｘ端末ペアが誤って同じ伝送ＣＩＤを選択する可能性をより小さくする。これは、２つのＴｘ／Ｒｘ端末ペアが誤って同じＣＩＤを選択し、その２つのＴｘ／Ｒｘ端末ペアが互いの範囲内にある場合、たとえば、端末がトラフィック管理チャネルを使用して干渉管理の動作を実行すると、両方のＴｘ／Ｒｘ端末ペアおよび他の近隣端末に混乱を生じるためである。ＡＲ／ＡＴ通信がアドホック通信ペアと一緒にシステム中に存在する場合、この問題はより深刻になることがある。
【００４６】
送信機端末は、ある近隣受信機端末との通信を開始しようとするとき、その近傍で使用されていない１つまたは複数の伝送ＣＩＤを最初に選択する。同期式ワイヤレスネットワークでは、これは、遅い時間スケール（slow time scale）で、たとえば毎秒１回、ＣＩＤブロードキャスト期間６０４を導入することによって達成されることができる。概して、ＣＩＤブロードキャスト期間をページング期間６０３と同じにし、端末が会話を開始するために互いにピングすることは意味がある。
【００４７】
本明細書で使用する「互いに独立した（orthogonal）」という用語は、他のものが同じＣＩＤを現在使用していないことを確実にするように選択されたＣＩＤを指す。そのような互いに独立したＣＩＤは、最初に（たとえば、ＣＩＤブロードキャストチャネルをモニタすることによって）他の接続によって使用中のＣＩＤを確認し、未使用または利用可能なＣＩＤを選択し、衝突が検出された場合にＣＩＤを切り替えることによって達成されることができる。
【００４８】
図６は、ＣＩＤブロードキャスト期間６０４とページング期間６０６とを含むＣＩＤブロードキャスト用のタイミングシーケンスの一例を示している。ＣＩＤブロードキャスト期間６０４では、ＣＩＤをすでに有している端末は、そのＣＩＤをブロードキャストし、したがって近傍の他の端末は、その特定のＣＩＤが占有されていると気付く。ＣＩＤブロードキャスト期間６０４の後、ページング期間６０６が起こる。ページング期間６０６は、ページング要求期間６０８とページング応答期間６１０とを含むことができる。ページングイニシエータ６１２（たとえば、送信機端末ＷＴ  Ａ）は、ページング要求期間６０８中にページング要求をページングターゲット６１４（たとえば、受信機端末ＷＴ  Ｂ）に送信する。次いで、ページングターゲット６１４は、ページング応答期間６１０中にページング応答をページングイニシエータ６１２に返送する。ページングの要求と応答の交換の１つの目的は、ページングイニシエータ６１２とページングターゲット６１４との間に接続を確立することである。ページングイニシエータおよびターゲットは、他の制御および／またはデータトラフィックを交換するための後続のトラフィックスロット中でそれら２つの端末によって使用されるべき接続ＩＤ（ＣＩＤ）を選択する。他の近隣する接続との干渉および／またはＣＩＤ衝突を回避するためには、ページングイニシエータ６１２とターゲット６１４とによって選択されたＣＩＤが他の端末によって現在占有または使用されていないことが望ましい。
【００４９】
したがって、ページングイニシエータおよびページングターゲットは、近傍でどのＣＩＤが占有されていないかを検出するためにＣＩＤブロードキャスト期間６０４をモニタする。ＣＩＤが互いから遠く離れた地理的ロケーションにおける異なる接続によって再使用され得ること、すなわち、空間再使用できることに留意されたい。ＣＩＤが占有されているか否かを判断するために、ページングイニシエータ６１２および／またはターゲット６１４は、ＣＩＤブロードキャスト期間６０４中にＣＩＤに対応する信号をモニタし、信号強度を測定することができる。ページングイニシエータ６１２および／またはターゲット６１４は、信号強度をしきい値と比較することができる。しきい値の値は、固定であってもよいし、または背景雑音の測定値に応じて決定されてもよい。あるいは、ページングイニシエータおよび／またはターゲットは、ＣＩＤに対応する信号の強度を他のＣＩＤに対応する信号の強度と比較することができる。
【００５０】
ページングイニシエータ６１２およびターゲット６１４は独立してＣＩＤブロードキャスト期間６０４をモニタし、近傍でどのＣＩＤが占有されていないかを判断することができることに留意されたい。無線周波数（ＲＦ）条件がページングイニシエータとターゲットとで異なることがあるので、イニシエータまたはターゲットによって判断される利用可能なＣＩＤのリストは異なることがある。一実施形態では、ページングイニシエータ６１２は、ＣＩＤブロードキャスト期間６０４中にその測定値に基づいて１つまたは複数の利用可能なＣＩＤを判断することができ、ページング要求期間６０８中に利用可能なＣＩＤのリストをターゲットに送信する。ページングターゲット６１４は、ＣＩＤブロードキャスト期間６０４中にその測定値に基づいて１つまたは複数の利用可能なＣＩＤを判断し、それらをページング要求期間６０８中に受信されるリストと比較し、ページングイニシエータ６１２からのリストの中から使用すべき１つのＣＩＤを選択することができる。選択されるＣＩＤは、望ましくは、ページングイニシエータ６１２とターゲット６１４の両方が利用可能であると考えるＣＩＤである。次いで、ページングターゲット６１４は、ページング応答期間６１０中に、その選択されたＣＩＤをイニシエータ６１２に通知する。
【００５１】
ＣＩＤが利用可能である（すなわち、占有されていない）と考えられるか否かは、ＣＩＤブロードキャスト期間６０４中の信号強度測定に基づかれる。イニシエータ６１２および／またはターゲット６１４は、各利用可能なＣＩＤを、イニシエータ６１２またはターゲット６１４がＣＩＤを利用可能であると考える範囲を示す、ある品質インジケータに関連付けることができる。たとえば、第１のＣＩＤに対応する受信信号強度が第２のＣＩＤのそれよりも小さい場合、イニシエータ６１２またはターゲット６１４は、第１のＣＩＤが第２のＣＩＤよりも「より」利用可能であると判断することができるもので、これは第１および第２のＣＩＤに関連付けられた品質インジケータ中に反映される。さらに、イニシエータ６１２は、関連付けられた品質インジケータに従って利用可能なＣＩＤをランク付けすることができ、それに応じてターゲット６１４に送信すべきリストを判断することができる。イニシエータ６１２は、（ページング要求期間６０８中に送信された）ページング要求メッセージ中に品質インジケータを含むこともできる。
【００５２】
イニシエータ６１２によって提案された利用可能なＣＩＤがすべてターゲット６１４によって「占有されている」と考えられる場合、イニシエータ（送信機端末）からのリストから１つを選択するのではなく、ターゲット６１４は、使用すべき他のＣＩＤをさらに提案することができる。２つの端末が使用すべき特定のＣＩＤに収束する前に、イニシエータとターゲット（送信機端末と受信機端末）との間で数回の反復が行われることができる。
【００５３】
遅い時間スケールで発生し、オーバーヘッドの制約がより少ないので、ＣＩＤブロードキャスト期間６０４を設計する複数の方法があることを諒解されたい。
【００５４】
図７は、各部が全伝送ＣＩＤ空間をカバーする２部ＣＩＤブロードキャスト構造の一例を示している。たとえば、伝送ＣＩＤ空間が１からＮにわたると仮定すると、図７中の各ＣＩＤブロードキャストリソースＡ１  ７０２およびＡ２  ７０４は、自由度Ｎを有することができる。たとえば、Ａ１およびＡ２の各々は、Ｙ個のＯＦＤＭシンボル中にＸ個のトーンを含むことができ、ただしＮ＝Ｘ×Ｙである。第１の端末７１２および第２の端末７１４が、ＣＩＤをすでに有している接続７１６に関連すると仮定する。第１の端末７１２が第２の端末７１４をページングするときに接続７１６が確立されたと仮定する。すなわち、第１の端末７１２と第２の端末７１４との間では、第１の端末７１２がイニシエータであり、第２の端末７１４がターゲットであると理解されたい。次いで、第１の端末７１２は、リソースＡ１  ７０２中で上記接続７１６のＣＩＤに対応するシンボルのトーンで第１の信号７０６を送信し、第２の端末７１４は、リソースＡ２  ７０４中で上記接続７１６のＣＩＤに対応するシンボルのトーンで第２の信号７０８を送信する。代替実装形態では、ＣＩＤブロードキャスト期間は、単一のリソース（すなわち、リソースＡ１  ７０２だけ）を含むことができ、その場合、第１の端末７１２および第２の端末７１４は、たとえば、固定のパターン（たとえば、偶数／奇数の交互の期間または擬似ランダム）に従って、ＣＩＤブロードキャスト期間中に順番にブロードキャストすることができる。すなわち、第１のＣＩＤブロードキャスト期間では、第１の端末７１２は単一のリソース（たとえば、リソースＡ１  ７０２）上で送信することができ、第２の端末７１４はリッスンし、第２のブロードキャスト期間では、第２の端末７１４は同じ単一のリソース（たとえば、リソースＡ１  ７０２）上で送信することができ、第１の端末７１２はリッスンする。
【００５５】
端末７１２と端末７１４の両方がＣＩＤブロードキャスト期間中に信号を送信する必要がある１つの理由は、近傍の他の端末が、ＣＩＤ７０６および／またはＣＩＤ７０８が占有されていると気付くことを可能にすることである。別の理由は、２つの端末のうちの一方が他方の端末の存在をモニタすることのためである。言い換えれば、たとえば、バッテリ故障により一方の端末が脱落した場合、または２つの端末間の距離がある範囲を越えたために、ＣＩＤブロードキャスト期間では、２つの端末７１２および７１４は、接続７１６を解体する必要があり、ＣＩＤリソースユニット（たとえば、リソースＡ１  ７０２中の７０６および７０８）を放棄する必要があることを認識することが可能になる。たとえば、第１の端末７１２が、ある時間期間の間、第２のリソースＡ２  ７０４中で第２の端末７１４によって送信される必要があるＣＩＤブロードキャスト信号７０８を検出しない場合、第１の端末７１２は、接続７１６がダウンしていると結論付けることができる。その後、第１の端末７１２は、ＣＩＤ７０６を放棄し、ＣＩＤブロードキャスト期間中にＣＩＤブロードキャスト信号７０６をもはや送信しない。これによりＣＩＤ（および７０６と７０８とにおけるＣＩＤリソースユニット）は再び利用可能になり、近傍の他の端末によって選択することが可能になる。
【００５６】
２つの端末が、図６に示すプロトコルに従う接続を開始するとき、近傍でＣＩＤが占有されていない場合があることに留意されたい。しかしながら、ＲＦ条件が変化するにつれて、ＣＩＤ衝突が依然として起こることがある。たとえば、２つの端末が、別の端末のペアも同じＣＩＤに関連する接続を使用することがある新しいロケーションに移動することがある。図７のＣＩＤブロードキャスト期間の設計を使用しても、そのようなＣＩＤ衝突を容易に検出することはできない。
【００５７】
図８は、ＣＩＤ衝突の検出を可能にする４部ＣＩＤブロードキャスト構造の一例を示す。図７のリソースＡ１  ７０２およびリソースＡ２  ７０４と同様に、各リソースは全伝送ＣＩＤ空間をカバーする。伝送ＣＩＤ空間内の各伝送ＣＩＤは、送信トラフィックチャネルに対応する特定のトーン／シンボルまたは周波数−時間と規定される（または、それに関連される）。たとえば、伝送ＣＩＤ空間が１からＮにわたると仮定すると、各ＣＩＤブロードキャストリソースＡ１  ８０２、Ａ２  ８０４、Ｂ１  ８０６、およびＢ２  ８０８は、自由度Ｎを有することができる。図７と同様に、第１の端末８１８と第２の端末８２０との間の接続では、第１の端末８１８が、接続８２２を開始した端末（すなわち、ページングイニシエータ）であり、第２の端末８２０がページングターゲットであると仮定する。一例では、第１の端末８１８はリソースＡ１  ８０２およびＢ１  ８０４に割り当てられ、第２の端末８２０はリソースＡ２  ８０６およびＢ２  ８０８に割り当てられる。たとえば、イニシエータ端末がリソースＡ１  ８０２およびＢ１  ８０４を使用すべきであることを知っており、ターゲット端末がリソースＡ２  ８０６およびＢ２  ８０８を使用すべきであることを知っている場合、リソースのそのような割当てが示されることができる。第１の端末８１８および第２の端末８２０に対するリソースの異なる割当ても可能であることに留意されたい。
【００５８】
第１の端末８１８は、第１の端末８１８と第２の端末８２０との間の接続８２２のＣＩＤに対応する信号を送信するために２つのリソースＡ１  ８０２およびＢ１  ８０４のうちの一方を選択する。次いで、第１の端末８１８は、別の端末が同じ伝送ＣＩＤを使用しているかどうかを判断するために、選択されていないリソース上でリッスンする。たとえば、第１の端末８１８は、リソースＢ１  ８０４中の位置８１４（すなわち、リソースユニット）で衝突をリッスンしながら、リソースＡ  ８０２中のＣＩＤ空間内のロケーション（トーン／シンボル）によって規定されたＣＩＤブロードキャスト信号８１０を送信するように選択することができる。第１の端末８１８は、ＣＩＤブロードキャスト信号が位置８１４において送信されたことを検出した場合、別の端末も同じＣＩＤを使用している可能性がある、すなわち、ＣＩＤ衝突が検出されたと結論付けることができる。同様に、第２の端末８２０は、第１の端末８１８と第２の端末８２０との間の接続８２２のＣＩＤに対応する信号を送信するために２つのリソースＡ２  ８０６およびＢ２  ８０８のうちの一方を選択することができる。たとえば、第２の端末８２０は、リソースＡ２  ８０６中のＣＩＤ空間内のロケーションによって規定されたＣＩＤブロードキャスト信号８１２を送信するように選択することができる。
【００５９】
どの特定のＣＩＤブロードキャスト期間においても、別のリソースに勝る１つのリソース（たとえば、リソースＡ１かリソースＢ１か）の選択は、第１の端末および／または第２の端末の端末ＩＤあるいはデバイスＩＤに応じて擬似ランダムに判断されることができる。たとえば、第１の端末８１８は、リソースＡ１  ８０２とリソースＢ１  ８０４のどちらのリソースを選択すべきかを判断するために、そのデバイスＩＤと擬似ランダム関数とを使用することができ、第２の端末８２０は、リソースＡ２  ８０６とリソースＢ２  ８０８のどちらのリソースを選択すべきかを判断するために、そのデバイスＩＤと、同じ擬似ランダム関数とを使用することができる。その選択は、時間カウンタに応じて判断されることもできる。たとえば、第１の端末８１８および第２の端末８２０は、共通のタイミングソースから時間カウンタの値を導出することができる。このようにして、時間が進むにつれて、選択は変化する。
【００６０】
好ましい一実施形態では、第１の端末８１８は、第２の端末８２０がＡ２  ８０６とＢ２  ８０８のどちらのリソース（Ａ２またはＢ２のいずれか）を選択することになるかを知っている。これが可能なのは、第１の端末８１８が、第２の端末８２０との接続８２２を有しており、第２の端末８２０がどのように選択することができるかを知っているからである。たとえば、第２の端末８２０は、リソースＡ２  ８０６中のＣＩＤブロードキャスト信号を送信するように選択することができる。図７に記載するように、第２の端末８２０の存在を確認するために、第１の端末８１８はモニタして、ＣＩＤに対応するＣＩＤブロードキャスト信号８１２がリソースＡ２  ８０６中で受信されたかどうかを確かめる。そうである場合、第１の端末８１８は、接続８２２がまだ機能していると結論付けることができる。さらなる動作は不要である。そうでない場合、第１の端末８１８は、接続８２２が失われたと結論付け、次いで、第１の端末８１８は、接続８２２を解体し、ＣＩＤに対応する位置８１０および８１４においてＣＩＤブロードキャスト信号を送信しないようにすることによってＣＩＤを放棄する。その上、第１の端末８１８は、ＣＩＤに対応するＣＩＤブロードキャスト信号８１６がリソースＢ２  ８０８中で受信されたかどうかをモニタする。そうである場合、第１の端末８１８は、別の端末も同じＣＩＤを使用している、すなわち、ＣＩＤ衝突が検出されたと結論付ける。第１の端末８１８は、そのようなＩＤ衝突を第２の端末８２０に通知することができ、したがって、それらの接続８２２は異なるＣＩＤに変更する必要がある。
【００６１】
一例では、第１の端末８１８および第２の端末８２０は、それらのリソースＡ１  ８０２、Ａ２  ８０４、Ｂ１  ８０６、およびＢ２  ８０８の中から、周期的に、擬似ランダムに、またはランダムに選択することができることに留意されたい。特定の時間間隔で使用されるリソースを周期的に、擬似ランダムに、またはランダムに変更することによって、衝突を検出する機会が増やされる。すなわち、第１の端末とさらに別の端末は、特定の時間間隔の間に同じリソース中の同じ伝送ＣＩＤを選択することができるが、各端末が独立して２つのリソースから時々選択する場合、それらの端末が同じリソースを断続的に選択する可能性は小さくなる。
【００６２】
（図９Ａおよび図９Ｂを含む）図９は、端末間のピアツーピア通信接続内の互いに独立した伝送ＣＩＤの使用法を示すブロック図である。ピアツーピア通信接続を確立する際、第１の端末ＷＴ  Ａ  ９０２および第２の端末ＷＴ  Ｂ  ９０４は、図６、図７および図８に示すＣＩＤブロードキャスト期間を利用することができる。ＣＩＤブロードキャスト期間９０８中に、９１０で、現在アクティブ接続を有している近隣端末は、それらの選択された伝送ＣＩＤに対応する（選択されたＣＩＤブロードキャストリソース中の）シンボルにおけるトーンを送信することによって、それらの端末が使用しているＣＩＤを示す。９１２および９１４で、第１の端末ＷＴ  Ａ  ９０２および第２の端末ＷＴ  Ｂ  ９０４は、どのＣＩＤが他のものによって使用されているかを判断するために（１つまたは複数の）ＣＩＤブロードキャスト（たとえば、ＣＩＤブロードキャストリソース）をモニタすることができる。次いで、９１６および９１８で、各端末ＷＴ  Ａ  ９０２およびＷＴ  Ｂ  ９０４は、検出された使用されている伝送ＣＩＤのリストを独立して生成することができる。それらのそれぞれのＲＦ条件の差により、一方の端末が、他方の端末が検出していないいくつかの使用されている伝送ＣＩＤを検出することができるので、その２つのリストは異なる場合があることに留意されたい。次いで、たとえば（図６にも示す）ページング期間９１７中に、９１９で、端末ＷＴ  Ａ  ９０２およびＷＴ  Ｂ  ９０４は、検出された伝送ＣＩＤのそれらのリストを交換することができる。
【００６３】
（図６に示す）ページング期間９１７中に、９２０および９２２で、端末ＷＴ  Ａ  ９０２およびＷＴ  Ｂ  ９０４は、ＣＩＤブロードキャストリソース構造中の未使用の伝送ＣＩＤを選択することができる。９２１で、第１の端末９０２はまた、第１および第２のＣＩＤブロードキャストリソースを選択することができ、その２つのＣＩＤブロードキャストリソースのうちの一方がＣＩＤブロードキャスト信号を送信するために使用されることができ、他方がＣＩＤ衝突をモニタするために使用されることができる。同様に、９２３で、第２の端末９０４はまた、第３および第４のＣＩＤブロードキャストリソースを選択し、その２つのＣＩＤブロードキャストリソースのうちの一方がＣＩＤブロードキャスト信号を送信するたに使用されることができ、他方がＣＩＤ衝突をモニタするために使用されることができる。
【００６４】
それらのピアツーピア接続用の伝送ＣＩＤを選択したら、次いで、トラフィック管理期間９２６中に、第１のワイヤレス端末ＷＴ  Ａ  ９０２は、専用チャネルリソース、たとえば（図１６に１６１４で示す）選択されたＣＩＤに対応する、トラフィック管理チャネル期間中のＯＦＤＭシンボル中の特定のトーンを使用して、送信要求を第２の端末ＷＴ  Ｂ  ９０４に送信することができる。９２８で、たとえば、送信要求は、第１のＣＩＤブロードキャストリソースの選択されたＣＩＤスロット中でＣＩＤブロードキャスト信号を利用することができる。この送信要求を受信すると、次いで、第２の端末ＷＴ  Ｂ  ９０４は、専用チャネルリソース、たとえば（図１６の１６１６で示す）選択されたＣＩＤに対応する、トラフィック管理チャネル期間中のＯＦＤＭシンボル中の特定のトーンをここでも使用して、要求応答を送信する。９３０で、たとえば、要求応答は、第３のＣＩＤブロードキャストリソースの選択されたＣＩＤスロット中でＣＩＤブロードキャスト信号を利用することができる。
【００６５】
後続のＣＩＤブロードキャスト期間９３１中に、第１の端末９０２および第２の端末９０４は、選択されたＣＩＤが使用されていることを他のものに示すことができる。たとえば、第１の端末ＷＴ  Ａ  ９０２は、接続がまだ機能していることを第２の端末ＷＴ  Ｂ  ９０４に通知するために、第１または第２のＣＩＤブロードキャストリソースのいずれかのＣＩＤスロット中でＣＩＤブロードキャスト信号を送信することができる。第２の端末ＷＴ  Ｂ  ９０４も、接続がまだ機能していることを第１の端末ＷＴ  Ａ  ９０２に通知するために、第３または第４のＣＩＤブロードキャストリソースのいずれかのＣＩＤスロット中でＣＩＤブロードキャスト信号を送信することができる。
【００６６】
さらに、９３２および９３４で、第１の端末ＷＴ  Ａ  ９０２および第２の端末ＷＴ  Ｂ  ９０４は、選択されたＣＩＤとの衝突が存在するかどうかを判断するために、すなわち、別の端末が同じ伝送ＣＩＤを選択したかどうかを判断するために、ＣＩＤブロードキャストリソースをモニタすることができる。
【００６７】
ＣＩＤ衝突が検出された場合、後続のページング期間９３９中に、９４０で、第１の端末ＷＴ  Ａ  ９０２および第２の端末ＷＴ  Ｂ  ９０４は、それらのＣＩＤを変更するために折衝する。
【００６８】
衝突回避のための方法
図１０は、ピアツーピアネットワーク中でチャネル衝突および干渉を回避するための、第１のデバイスにおいて使用可能な方法を示している。１０００で、ワイヤレス通信ネットワーク中の第１のデバイスと第２のデバイスとの間のピアツーピア通信接続用の第１の接続識別子が選択される。１００２で、第１の接続識別子ブロードキャスト信号を送信するより前に、第１のデバイスは、第１の接続識別子ブロードキャスト信号を送信すべき時間間隔で、接続識別子ブロードキャストチャネルの複数のシンボルのうちの１つを選択することができる。
【００６９】
次いで、１００４で、第１のデバイスは、接続識別子ブロードキャストチャネル中の第１の接続識別子に対応する第１の接続識別子ブロードキャスト信号を送信する。たとえば、時間間隔内で接続識別子ブロードキャストチャネルの選択されたシンボルで第１の接続識別子ブロードキャスト信号が送信されることができる。次いで、１００６で、第１のデバイスは、第１の接続識別子が近傍の別の接続によって利用されているかどうかを判断するために、接続識別子ブロードキャストチャネルをモニタする。接続が第１のデバイスによって検出された場合、そのような接続を利用しているピア端末が第１のデバイスの無線範囲内にある場合、または第１のデバイスの接続に対して許容できるしきい値を上回る干渉を引き起こすことがある場合、接続は、本明細書で使用する「近傍」にある。接続識別子が別のデバイスによって（別の接続のために）利用されていない場合には、１０１８で、第１のデバイスは、第２のデバイスとのそのピアツーピア接続のために第１の接続識別子を使用し続けることができる。
【００７０】
そうではなく、１００８で、第１の接続識別子が近傍の別の接続（別のデバイス）によって利用されていると判断された場合には、１０１０で、第１のデバイスは、第２の接続識別子が近傍の他の接続（デバイス）によって利用されているかどうかを判断するために第２の接続識別子に対応する接続識別子ブロードキャストチャネルをモニタする。１０１２で、第２の接続識別子が別の接続（または別のデバイス）によって利用されていない場合には、１０１４で、第１のデバイスは第２の接続識別子に切り替える。そうではなく、第２の接続識別子が別の接続またはデバイスによって使用されている場合には、１０１６で、未使用の識別子用の接続識別子ブロードキャストチャネルをモニタすることによって別の未使用の接続識別子を選択することができる。
【００７１】
第１および第２の接続識別子は、所定のセットの複数の接続識別子に属することができる。たとえば、第１および第２の接続識別子は、たとえば図７および図８に示すような、ＣＩＤブロードキャストリソース構造中の未使用または利用可能な伝送ＣＩＤから選択されることができる。
【００７２】
一例では、第１のデバイスは、共通のネットワークタイミングソースからブロードキャスト信号を受信することができる。たとえば、この共通のネットワークタイミングソースは、ＷＡＮシグナリングまたはビーコンから導出されることができる。その場合、時間カウンタの値は、受信されたブロードキャスト信号に応じて判断されることができ、ある時間間隔から他の時間間隔へ変化する。（ステップ１００２で）選択されたシンボルは、時間カウンタの値に応じて選択されることができる。（ステップ１００２の）複数のシンボルの各々は、複数のトーンを含むＯＦＤＭシンボルとすることができ、第１の接続識別子ブロードキャスト信号は、選択されたシンボル中の複数のトーンのうちの１つで送信される。
【００７３】
一例では、選択されたＯＦＤＭシンボルとトーンとの組合せは、第１の接続識別子に応じて判断されることができるものであり、ここで、異なる接続識別子は、選択されたＯＦＤＭシンボルとトーンとの異なる組合せに対応する。複数のＯＦＤＭシンボルが第１の接続識別子に関連されることができる。選択されるシンボルは、第１のデバイスと第２のデバイスの両方によって判断される関数として、第１の接続識別子に関連される複数のＯＦＤＭシンボルから選択されることができる。
【００７４】
第２の接続識別子ブロードキャスト信号は、第１の接続識別子に関連される複数のＯＦＤＭシンボルの残りのＯＦＤＭシンボルで受信されることができる。
【００７５】
図１１は、接続識別子がピアツーピアネットワーク内の別の接続によって使用されているかまたは使用されていないかを判断するための方法を示している。一例では、接続識別子ブロードキャストチャネルは、時間間隔中に複数のシンボルを含むことができる。図１０の例と同様に、１１００で、第１のデバイスは、第１のデバイスと第２のデバイスとの間のピアツーピア通信接続用の第１の接続識別子を選択することができる。１１０２で、接続識別子ブロードキャストチャネルの時間間隔内の複数のシンボルのうちの１つは、第１の接続識別子用に選択されるか、または第１の接続識別子に関連されることができる。次いで、１１０４で、第１のデバイスは、接続識別子ブロードキャストチャネル中の第１の接続識別子に対応する第１の接続識別子ブロードキャスト信号を送信することができる。
【００７６】
その後、１１０６で、第１のデバイスは、時間間隔中に接続識別子ブロードキャストチャネルの残りのシンボル中の信号を受信または検出するために接続識別子ブロードキャストチャネル上でリッスンすることができる。１１０８で、第１のデバイスは受信信号中の第２の接続識別子ブロードキャスト信号の存在（または不在）をモニタすることができるもので、ここで、第２の接続識別子ブロードキャスト信号は、第１の接続識別子に対応する。１１１０で、第２の接続識別子ブロードキャスト信号の存在が検出された場合には、第１のデバイスは、検出された第２の接続識別子ブロードキャスト信号の信号強度を測定することができる。
【００７７】
第１のデバイスは、第１の接続識別子が近傍の他の接続によって利用されているかどうかをいくつかの方法で判断することができる。たとえば、第２の接続識別子ブロードキャスト信号が受信信号中に存在する場合、第１のデバイスは、別の接続も第１の接続識別子を利用していると仮定することができる。別の例では、受信信号中の第２の接続識別子ブロードキャスト信号の信号強度が第１のしきい値を上回る場合、第１のデバイスは、別の接続も第１の接続識別子を利用していると仮定する。さらに別の例では、第２の接続識別子ブロードキャスト信号の信号強度と受信信号中の別の接続識別子に対応する接続識別子ブロードキャスト信号の信号強度との比が第２のしきい値を上回る場合、第１のデバイスは、別の接続も第１の接続識別子を利用していると仮定することができる。
【００７８】
図１２は、端末間のピアツーピア通信接続内の互いに独立した伝送ＣＩＤの別の使用法を示すブロック図である。ピアツーピア通信接続を確立する際、第１の端末ＷＴ  Ａ  １２０２および第２の端末ＷＴ  Ｂ  １２０４は、図６、図７および図８に示すＣＩＤブロードキャスト期間を利用することができる。ＣＩＤブロードキャストは、時間間隔中に複数のシンボルを含む接続識別子ブロードキャストチャネル内に実装されることができる。ＣＩＤまたは接続識別子を表すためにシンボルが使用されることができる。１２１０で、他の近くの端末は、接続識別子ブロードキャスト信号用の接続識別子ブロードキャストチャネルでそれらの使用されたＣＩＤをブロードキャストすることができる。１２１２および１２１４で、第１のワイヤレス端末ＷＴ  Ａ  １２０２および第２のワイヤレス端末ＷＴ  Ｂ  １２０４は、接続識別子ブロードキャスト信号用の接続識別子ブロードキャストチャネルをモニタすることができる。１２１６および１２１８で、受信した接続識別子ブロードキャスト信号に基づいて、第１のワイヤレス端末ＷＴ  Ａ  １２０２および第２のワイヤレス端末ＷＴ  Ｂ  １２０４はそれぞれ、検出された使用されている伝送ＣＩＤのそれら自体のリストを生成することができ、１２２０で、第１のデバイスと第２のデバイスとの間のピアツーピア通信接続用の接続識別子を選択するために、それらのリストを交換することができる。
【００７９】
次いで、１２２２で、第１の端末１２０２が第１の接続識別子ブロードキャスト信号を送信するために、時間間隔中に接続識別子ブロードキャストチャネルの複数のシンボルから第１のシンボルが選択される。同様に、１２２４で、第２の端末１２０４によって送信されるべき第２の接続識別子ブロードキャスト信号を第１の端末１２０２が受信するために、複数のシンボルから第２のシンボルが選択される。第１の端末１２０２および第２の端末１２０４は、ＣＩＤに関連する接続を有することができる。第１および第２の接続識別子ブロードキャスト信号は同じＣＩＤに対応する。第１の端末１２０２は、第１のＣＩＤブロードキャスト信号を送信することになっており、第２の端末１２０４は、第２のＣＩＤブロードキャスト信号を送信することになっている。第１の端末１２０２は、接続がまだ機能しているかどうかを確かめるために第２のＣＩＤブロードキャスト信号の存在をモニタする。第２のＣＩＤブロードキャスト信号が、たとえば、十分な信号強度で受信された場合、第１の端末は、接続が機能していると結論付けることができる。そうでない場合、第１の端末１２０２は、接続が解体されなければならないと結論付けることができる。一例では、第１の端末１２０２は、そのように結論付ける前に、第２のＣＩＤブロードキャスト信号の不在のいくつかの発生を検出する必要がある。
【００８０】
次いで、１２２６で、第１のワイヤレス端末ＷＴ  Ａ  １２０２は、接続識別子ブロードキャストチャネル中の第１の接続識別子ブロードキャスト信号を送信することができる。次いで、１２２８で、第１の端末ＷＴ  Ａ  １２０２は、ＣＩＤに対応する第２の接続識別子ブロードキャスト信号が受信されたかどうかを判断するために、接続識別子ブロードキャストチャネルをモニタすることができる。
【００８１】
第２の接続識別子ブロードキャスト信号が検出されない場合、１２３０で、第１の端末ＷＴ  Ａ  １２０２は、第２の端末ＷＴ  Ｂとの接続を切ることができ、その後、１２３２で、接続識別子ブロードキャストチャネル中の接続識別子に対応する接続識別子ブロードキャスト信号を送信しないようにする。
【００８２】
図１３は、ワイヤレス通信ネットワーク中の第１のデバイスと第２のデバイスとの間のピアツーピア通信接続用の接続識別子を維持するための、第１のデバイスを動作させる方法を示している。１３００で、第１のデバイスと第２のデバイスとの間のピアツーピア通信接続用の接続識別子が選択される。接続識別子ブロードキャストチャネルは、一つの時間間隔中に複数のシンボルを含むことができる。１３０１で、第１のデバイスは、第１の接続識別子ブロードキャスト信号を送信するために、単独でまたは第２のデバイスとともに、時間間隔中に接続識別子ブロードキャストチャネルの複数のシンボルから第１のシンボルを選択することができる。１３０２で、第１のデバイスはまた、第２の接続識別子ブロードキャスト信号を受信するために、単独でまたは第２のデバイスとともに、複数のシンボルから第２のシンボルを選択することができる。次いで、１３０４で、第１のデバイスは、接続識別子ブロードキャストチャネル中の接続識別子に対応する第１の接続識別子ブロードキャスト信号を送信する。１３０６で、接続識別子に対応する第２の接続識別子ブロードキャスト信号が第２のデバイスから受信されたかどうかを判断するために、接続識別子ブロードキャストチャネルがモニタされることができる。
【００８３】
１３０８で、第２の接続識別子ブロードキャスト信号が受信されない場合、１３１０で、第２のデバイスは不在と考えられる。その結果、１３１２で、第１のデバイスは、第２のデバイスとの接続を切り、１３１４で、接続識別子ブロードキャストチャネル中の接続識別子に対応する接続識別子ブロードキャスト信号を送信しないようにする。そうではなく、１３０８で、第２の接続識別子ブロードキャスト信号が受信された場合には、１３１６で、第１のデバイスは、接続識別子に関連するトラフィックチャネル上でトラフィック信号を送信／受信することができる。
【００８４】
第１および第２の選択されたシンボルは接続識別子に応じて選択されることができる。第１および第２のシンボルの選択は、第１および第２のデバイスによって一緒にまたは個々に判断されることができる。複数のシンボルの各々は、複数のトーンを含むＯＦＤＭシンボルとすることができ、前記第１の接続識別子ブロードキャスト信号は、第１の選択されたシンボル中の複数のトーンのうちの１つで送信され、前記第２の接続識別子ブロードキャスト信号は、第２の選択されたシンボル中の複数のトーンのうちの１つで受信される。第１および第２の接続識別子ブロードキャスト信号の選択されたＯＦＤＭシンボルとトーンとの組合せは、接続識別子に応じて判断されることができ、異なる接続識別子は、選択されたＯＦＤＭシンボルとトーンとの異なる組合せに対応する。第１と第２の選択されたＯＦＤＭシンボルは少なくとも１つのＯＦＤＭシンボルだけ離れていることができる。
【００８５】
接続識別子ブロードキャストチャネルは、少なくともＯＦＤＭシンボルの第１および第２の所定のサブセットを含み、第１の接続識別子ブロードキャスト信号が送信される第１の選択されたＯＦＤＭシンボルは、第１のサブセットに属し、第２の接続識別子ブロードキャスト信号が受信される第２の選択されたＯＦＤＭシンボルは、第２のサブセットに属する。第１のサブセットと第２のサブセットとの区分は、どの接続識別子からも独立していることができる。
【００８６】
図１４は、端末間のピアツーピア通信接続内の互いに独立した伝送ＣＩＤの別の使用法を示すブロック図である。ピアツーピア通信接続を確立する際、第１の端末ＷＴ  Ａ  １４０２および第２の端末ＷＴ  Ｂ  １４０４は、図６、図７および図８に示すＣＩＤブロードキャスト期間を利用することができる。ＣＩＤブロードキャストは、一つの時間間隔中に複数のシンボルを含む接続識別子ブロードキャストチャネル内に実装されることができる。伝送ＣＩＤまたは接続識別子を表すためにシンボルが使用されることができる。ＣＩＤは、第１の端末１４０２と第２の端末１４０４との間の接続に関連される。
【００８７】
１４０８で、第１のデバイスＷＴ  Ａ  １４０２によって所定のセットの複数の接続識別子から接続識別子が選択される。１４１０で、第１のデバイスＷＴ  Ａ  １４０２は、選択された接続識別子を示す制御情報を含むページング要求メッセージを第２のデバイスＷＴ  Ｂ  １４０４に送信する。第１の端末１４０２は、ページング要求メッセージ中に１つまたは複数の選択された接続識別子を含むことができる。第１の端末１４０２は、１つの接続識別子が近傍の他の接続によって現在使用または占有されていないと判断された場合、その接続識別子を選択する。こうするために、第１の端末１４０２は、たとえば、ＣＩＤに対応するＣＩＤブロードキャスト信号の強度を測定することによって、特定のＣＩＤが占有されているかどうかを判断するために、図７または図８に示すように、ＣＩＤブロードキャスト期間をモニタすることができる。一方、第２の端末１４０４も、占有されていないＣＩＤのリストをＣＩＤブロードキャスト期間のそれ自体の測定値に基づいて判断することができる。選択された接続識別子の提案されたリストを第１の端末から受信すると、第２のデバイスＷＴ  Ｂ  １４０４は、第１の端末と第２の端末の両方の観点から占有されていないと考えられるＣＩＤが選択できるかどうかを判断するために、第１の端末からのリストをそれ自体のリストと比較する。そうである場合、第２の端末ＷＴ  Ｂ  １４０４は、ページング応答メッセージ中に選択されたＣＩＤを含めるように、第１の端末１４０２に応答する。
【００８８】
２つのデバイスは、接続および関連するＣＩＤを確立した後、さらに制御およびデータトラフィックを交換することができる。たとえば、次いで、１４１４で、第１のデバイスＷＴ  Ａ  １４０２は、第１の送信リソースユニットを使用して、送信要求信号を第２のデバイスＷＴ  Ｂ  １４０４に送信する。第１の送信リソースユニットは、トラフィック管理チャネルスロット内のシンボルのサブセット中にトーンのサブセットを含むことができ、第１の送信リソースユニットは、接続識別子に応じて判断されることができる。たとえば、第１のデバイスＷＴ  Ａ  １４０２は、図１６のリソースＡ  １６１０中の（接続識別子に関連する）選択されたシンボル／トーン組合せ上で送信することができる。
【００８９】
１４１６で、第１のデバイスＷＴ  Ａ  １４０２はまた、要求応答信号が第２のデバイス１４０４から第２の送信リソースユニット中で受信されたかどうかを判断するために、第１の送信リソースユニットに対応する第２の送信リソースユニットをモニタする。第２の送信リソースユニットは、トラフィック管理チャネルスロット内のシンボルのサブセット中のトーンのサブセットとすることができる。たとえば、第１のデバイスＷＴ  Ａ  １４０２は、図１６のリソースＢ  １６１２中の（接続識別子に関連する）選択されたシンボル／トーン組合せ上でモニタすることができる。
【００９０】
送信要求を受信すると、１４１８で、第２のデバイスＷＴ  Ｂ  １４０４は、第２の送信リソースを使用して、要求応答信号を第１のデバイスＷＴ  Ａ  １４０２に送信する。たとえば、第２のデバイスＷＴ  Ｂ  １４０４は、図１６のリソースＢ  １６１２中の（接続識別子に関連する）選択されたシンボル／トーン組合せ上で要求応答信号を送信することができる。
【００９１】
１４１８で、第１のデバイスＷＴ  Ａ  １４０２が要求応答を受信した場合、１４２０で、トラフィック管理チャネルスロットに対応する（すなわち、接続識別子に関連する）トラフィックチャネルスロット中でトラフィックデータを第２のデバイスＷＴ  Ｂ  １４０４に送信することができる。
【００９２】
図１５は、ワイヤレス通信ネットワーク中の第１のデバイスと第２のデバイスとの間のピアツーピア通信接続用の接続識別子を選択し、利用するための、第１のデバイスにおいて使用可能な方法を示している。１５００で、共通のネットワークタイミングソースからブロードキャスト信号が受信される。たとえば、第１および第２のデバイスが動作するＷＡＮは、共通のネットワークタイミングが確認されることができるビーコンを与えることができる。時間カウンタの値は、受信したブロードキャスト信号に応じて判断されることができる。１５０２で、時間カウンタの値に加えて、第１の端末と第２の端末との間の接続のＣＩＤに応じて、トラフィック管理チャネル中の第１および第２の送信リソースユニットが判断されることができる。「送信リソースユニット」は、トラフィック管理チャネルリソース内の特定のシンボル／トーン組合せとすることができる。たとえば、図１６のリソースＡ  １６１０とリソースＢ  １６１２の両方におけるトーン／シンボル１６１４および１６１６は、時間カウンタの値およびＣＩＤに応じて判断または選択されることができる。
【００９３】
１５０４で、所定のセットの複数の接続識別子から接続識別子が選択される。接続識別子ブロードキャストチャネルは、接続識別子が近傍の他の接続によって利用されているかどうかを判断するために前もってモニタされることができる。接続識別子は、接続識別子が近傍の別の接続によって利用されていないと判断された場合のみ、選択される。
【００９４】
接続識別子が近傍の他の接続によって利用されていないかどうかを判断するために、第１のデバイスは、接続識別子に対応する、接続識別子ブロードキャストチャネル中の接続識別子ブロードキャスト信号の存在（または不在）を検出することができる。接続識別子ブロードキャスト信号の存在が検出された場合、第１のデバイスは接続識別子ブロードキャスト信号の信号強度を測定することができる。（ａ）接続識別子ブロードキャスト信号が存在しない場合、（ｂ）接続識別子ブロードキャスト信号の信号強度が第１のしきい値を下回る場合、または（ｃ）接続識別子ブロードキャスト信号の信号強度と、別の接続識別子に対応する接続識別子ブロードキャスト信号の信号強度との比が第２のしきい値を下回る場合のうちのいずれかが成り立つ場合、第１のデバイスは、接続識別子が近傍の他の接続によって利用されていないと判断することができる。
【００９５】
所定のセットの複数の接続識別子の各々は、第１または第２の送信リソースユニットのいずれかとして使用すべきトラフィック管理チャネルスロット中の、トーンとＯＦＤＭシンボルとの一意の組合せに対応することができる。時間カウンタの所与の値に対して、異なる接続識別子によって判断される第１の送信リソースユニットは、互いに独立であり（すなわち、２つの異なる接続識別子が２つの別個の送信リソースユニットに対応しており）、異なる接続識別子によって判断される第２の送信リソースユニットは、互いに独立である。
【００９６】
１５０６で、第１のデバイスによって、選択された接続識別子を示す制御メッセージが第２のデバイスに送信されることができる。一例では、制御メッセージは、第１のデバイスが第２のデバイスとの接続を確立することを意図することを示すページング要求メッセージとされることができるものであり、その中で第１のデバイスは、接続を識別するために、選択された接続識別子を使用することを提案する。別の例では、制御メッセージは、第２のデバイスから受信されたページング要求メッセージに応答するページング応答メッセージとすることができるものであり、ここで、ページング応答メッセージは、第１のデバイスが第２のデバイスとの接続を確立することに同意することと、接続を識別するために、第１のデバイスがその選択された接続識別子を使用することを提案することと、を示すことができる。
【００９７】
接続が第１のデバイスと第２のデバイスとの間で確立され、ＣＩＤが選択された後、２つのデバイス間のデータおよび制御トラフィックをスケジューリングするために、ＣＩＤが使用されることができる。１５０８で、たとえば、後続のトラフィックスロット中で、第１の送信リソースユニットを使用して第１のデバイスから第２のデバイスに送信要求信号が送信されるもので、第１の送信リソースユニットは、トラフィック管理チャネルスロット内のシンボルのサブセット中のトーンのサブセットであり、接続識別子に応じて判断される。１５１０で、要求応答信号が第２の送信リソースユニット中で第２のデバイスから受信されたかどうかを判断するために、第１の送信リソースユニットに対応する第２の送信リソースユニットがモニタされるもので、第２の送信リソースユニットは、トラフィック管理チャネルスロット内のシンボルのサブセット中のトーンのサブセットである。第２の送信リソースユニットも接続識別子に応じて判断されることができる。
【００９８】
次いで、１５１２で、第１のデバイスは、要求応答信号が第２のデバイスから受信されたかどうかを判断する。そうである場合、１５１４で、トラフィック管理チャネルスロットに対応するトラフィックチャネルスロット中でトラフィックデータが第２のデバイスに送信される。そうではなく、要求応答信号が受信されない場合には、１５１６で、第１のデバイスは、選択された接続識別子を使用してトラフィックデータを第２のデバイスに送信しない。
【００９９】
トラフィック管理チャネルスロットは、複数のＯＦＤＭシンボルを含むことができ、各ＯＦＤＭシンボルは、複数のトーンを含み、第１および第２の送信リソースユニットの各々は、トラフィック管理チャネルスロット中の複数のシンボルのうちの１つの中に少なくとも１つのトーンを含むことができる。異なる接続識別子は、第１または第２の送信リソースユニットのいずれかとして使用すべきトラフィック管理チャネルスロット中の、異なるトーンとＯＦＤＭシンボルとの組合せに対応することができる。
【０１００】
互いに独立したＣＩＤを使用するトラフィック制御チャネルの例
図１６は、互いに独立したＣＩＤを使用するトラフィック管理チャネルを示す図である。この例では、第１のデバイスＷＴ  Ａ  １６０２および第２のデバイスＷＴ  Ｂ  １６０４が、第１のＣＩＤに関連するピアツーピア接続を確立しており、第３のデバイスＷＴ  Ｃ  １６０６および第４のデバイスＷＴ  Ｄ  １６０８が、第１のＣＩＤとは異なる第２のＣＩＤに関連する別のピアツーピア接続を確立している。
【０１０１】
図２に示すトラフィックスロットは、トラフィック管理チャネル期間とトラフィックチャネル期間とを含んでいる。特に、トラフィック管理チャネル期間の接続スケジューリング部分は、２つの接続間のトラフィック干渉を管理するために使用される。一実施形態では、接続スケジューリング部分は、リソースＡ  １６１０とリソースＢ  １６１２とを含む。リソースＡおよびＢの各々には、複数のシンボルがあり、各シンボルはいくつかのトーンを含む。リソースＡおよびリソースＢ中の各小さい四角形は、１つのシンボル、たとえば、ＯＦＤＭシンボル上のトーンである基本的な送信リソースユニットを表す。
【０１０２】
第１のＣＩＤの接続は、リソースＡとリソースＢの両方の中に確保された送信リソースユニットを有する。２つの送信リソースユニットは、ＷＴ  ＡとＷＴ  Ｂとの間の接続の第１のＣＩＤによって判断される。同様に、第２のＣＩＤの接続は、リソースＡとリソースＢの両方の中に確保された送信リソースユニットを有する。２つの送信リソースユニットは、ＷＴ  ＣとＷＴ  Ｄとの間の接続のＣＩＤによって判断される。好ましい一実施形態では、異なるＣＩＤの接続は、異なる確保された送信リソースユニットに対応する。この意味で、ＣＩＤは互いに互いに独立したである。
【０１０３】
第１のデバイスＷＴ  Ａ  １６０２は、トラフィックを第２のデバイスＷＴ  Ｂ  １６０４に送信するその強さを示すために、確保された送信リソースユニット１６１４を使用して、送信要求信号を送信することができる。第２のデバイスＷＴ  Ｂ  １６０４は、それがそのように判断された場合、第１のデバイスＷＴ  Ａ  １６０２からトラフィックを受信するその強さを示すために、確保された送信リソースユニット１６１６を使用して、要求応答を送信する。送信要求を送信した後、第１のデバイスＷＴ  Ａ  １６０２は、第２のデバイスＷＴ  Ｂ  １６０４が要求応答を送信したかどうかを判断するためにモニタする。そうである場合、第１のデバイスＷＴ  Ａ  １６０２は、現在のトラフィックスロットの対応するトラフィックチャネル期間中にトラフィックを送信することに進む。明らかに、２つの接続が偶然に同じＣＩＤを使用した場合、両方の接続の端末は、送信リソースユニットがそれらの専用に確保されたと考える傾向がある。これは、誤動作をもたらすことになる。たとえば、ＷＴ  Ａ  １６０２が、確保された送信リソースユニットを使用して送信要求を送信した後、ＷＴ  Ｂ  １６０４とＷＴ  Ｄ  １６０８の両方は、要求信号がそれぞれＷＴ  Ａ  １６０２とＷＴ  Ｃ  １６０６によって送信されたと考えるであろう。そのような混乱は、不都合なシステム動作をもたらすことになる。したがって、ＣＩＤ衝突を回避し、検出することが重要である。
【０１０４】
干渉がデバイスによって知覚された場合、デバイスは、そのピアツーピア接続用に使用するための異なる伝送ＣＩＤ（リソースＡおよびリソースＢ中のシンボル／トーン組合せ）を取り決めることができる。
【０１０５】
Ｐ２Ｐ接続において互いに独立した伝送ＣＩＤを使用するように構成されたワイヤレス端末
図１７は、ピアツーピアネットワーク中で互いに独立した伝送ＣＩＤ選択を実行するように構成できるワイヤレス端末の例を示すブロック図である。ワイヤレス端末１７０２は、ピアツーピア接続を介して実質的に任意の数の異種ワイヤレス端末１７２０と直接通信することができる。
【０１０６】
ワイヤレス端末１７０２は、１つのピア発見間隔（または複数のピア発見間隔）中にピア発見に関連する信号の符号化、送信、受信、評価を実施することができるピア発見コミュニケータ１７０４を含むことができる。ピア発見コミュニケータ１７０４は、信号発生器１７０６とピア解析器１７０８とをさらに備えることができる。信号発生器１７０８は、信号を発生し、および／またはワイヤレスピアツーピア接続１７１０を介して信号を異種ワイヤレス端末１７２０に送信することができ、それらのワイヤレス端末は、ワイヤレス端末１７０２を検出し、識別するために、信号を評価することができる。さらに、ピア解析器１７０８は、（１つまたは複数の）異種ワイヤレス端末１７２０から送信された（１つまたは複数の）信号を受信することができ、（１つまたは複数の）受信信号が対応する（１つまたは複数の）異種ワイヤレス端末１７２０を検出し、識別するために、（１つまたは複数の）受信信号を評価することができる。
【０１０７】
ワイヤレス端末１７０２は、ワイヤレス端末１７０２と異種ワイヤレス端末１７２０との間のタイミングを一致させるシンクロナイザ１７１２をさらに含むことができる。シンクロナイザ１７１２は、ワイヤレス端末１７０２の近傍の基地局（図示せず）からのブロードキャスト情報（たとえば、共通のクロック基準１７１４）からそのタイミングを得ることができる。同様に、異種ワイヤレス端末１７２０のシンクロナイザは、同じブロードキャスト情報（基準クロック１７１４）から、それらのそれぞれのタイミングを得ることができる。ブロードキャスト情報は、たとえば、単一のトーンビーコン信号、ＣＤＭＡ  ＰＮ（擬似ランダム）シーケンス信号、パイロット信号、または他のブロードキャスト信号とすることができる。シンクロナイザ１７１２は、タイミング情報を判断するために、得られたブロードキャスト情報を評価することができる。例として、ワイヤレス端末１７０２と異種ワイヤレス端末１７２０は、同じブロードキャスト情報を受信して、それに同期することができ、したがって、時間の共通の理解を有する。タイムラインを、エアインターフェースプロトコルによって規定された所定のパターンに従って、たとえば、ピア発見、ページング、およびトラフィックなど、異なるタイプの機能のために別個の間隔に区分するために、時間の共通の概念が利用されることができる。その上、ピア発見中に送信用の信号を生成するために信号発生器１７０６によって、および／またはピア発見のために受信信号を評価するためにピア解析器１７０８によって、タイミング情報が利用されることができる。さらに、シンクロナイザ１７１２は、様々な機能（たとえば、ピア発見、ページング、トラフィック）のパフォーマンスを調整し、ピアツーピアネットワーク中の異種ワイヤレス端末１７２０に一致する時間の有意味な概念（たとえば、時間カウンタ）を判断するために、共通のクロック基準１７１４を得て、解析する。したがって、ピアは、互いに直接通信することなく同じタイミング（同期したタイミング）を取得する。
【０１０８】
ワイヤレス端末１７０２は、一意の識別子（ＷＴ  ＩＤ）に関連されることができる。たとえば、ワイヤレス端末１７０２は、ワイヤレス端末１７０２に対応する一意の識別子（ＷＴ  ＩＤ）を保持するメモリ１７１６を含むことができる。しかしながら、ワイヤレス端末１７０２は、（たとえば、ワイヤレス端末１７０２に対してローカルおよび／またはリモートの）任意のロケーションからその一意の識別子（ＷＴ  ＩＤ）を導出し、得ることなどができることが企図される。さらに、メモリ１７１６は、ワイヤレス端末１７０２に関するデータおよび／または命令のどんな追加のタイプでも保持することができる。その上、ワイヤレス端末１７０２は、本明細書で説明する命令を実行するプロセッサ（図示せず）を含むことができる。
【０１０９】
信号発生器１７０６は、信号を生成し、および／または信号を異種ワイヤレス端末１７２０に送信することができる。信号発生器１７０６は、ピア発見間隔中に、ワイヤレス端末１７０２の一意の識別子（ＷＴ  ＩＤ）に応じて信号を符号化および／または送信することができる。一例によれば、信号発生器１７０６によって生じた信号は、電力効率をもたらすことができる単一トーンのビーコン信号とすることができる。したがって、信号発生器１７０６は、ピア発見間隔内で選択されたＯＦＤＭシンボル上で特定のトーンの送信を実施することができる。２つ以上のビーコン信号が（たとえば、複数のＯＦＤＭシンボル中で）送信されることができることが企図される。たとえば、送信された信号がビーコン信号である場合、（たとえば、ピア発見間隔内の）選択されたシンボル時間位置および／またはトーン位置は、ワイヤレス端末１７０２（ＷＴ  ＩＤ）の一意の識別子のハッシュ関数と、現在のピア発見間隔を識別する時間変数（たとえば、シンクロナイザ１７１２、時間カウンタによって得られたタイミング情報）とによって導出されることができる。さらに、ワイヤレス端末１７０２と異種ワイヤレス端末１７２０は、（たとえば、地理的エリアにおいて利用可能なインフラストラクチャ通信チャネルをリッスンすることによって達成される同期により）時間変数の共通の値を有することができる。
【０１１０】
別の例によれば、ワイヤレス端末１７０２（ＷＴ  ＩＤ）に関連する識別子は、信号発生器１７０６（および／またはピア発見コミュニケータ１７０４）によって（１つまたは複数の）ピアにブロードキャストされることができる。信号を得た（１つまたは複数の）ピアは、ワイヤレス端末１７０２を検出および／または識別することができる。たとえば、信号発生器１７０６によって生じた信号は、その入力が、ワイヤレス端末１７０２のプレーンテキストの名前（たとえば、ＷＴ  ＩＤ）と、基地局ブロードキャスト信号（たとえば、共通のクロック基準）によって供給された現在のカウンタ値である、Ｍビットのハッシュ関数の出力とすることができる。カウンタ値は、たとえば、現在のピア発見間隔中で一定であり、すべてのピアによって復号可能とすることができる。カウンタ値は、あるピア発見間隔から他のピア発見間隔へ変化する（たとえば、モジュロ的に（in a modulo sense）増分する）ことができる。さらに、ハッシュ関数は、プロトコルによって事前に指定され、ピアに知られているとすることができる。
【０１１１】
例として、ワイヤレス端末１７０２は、異種ワイヤレス端末ＷＴ  Ａ、ＷＴ  ＢおよびＷＴ  ｎ  １７２０を含むピアツーピアネットワーク中に位置されることができる。シンクロナイザ１７１２は、（たとえば、受信した共通のクロック基準に基づいて）ピアツーピア通信に関連するタイミングを判断することができる。さらに、ピア発見のために区分された時間において、信号発生器１７０６は、（たとえば、発信側（originating）ワイヤレス端末１７０２の識別子（ＣＩＤ）および／または現在時刻に基づいて発生した）信号を範囲内の異種ワイヤレス端末（たとえば、異種ワイヤレス端末１７２０）にブロードキャストすることができる。ワイヤレス端末１７０２を検出し、および／またはワイヤレス端末１７０２の識別情報を判断するために、異種ワイヤレス端末１７２０によってその信号が受信されて、利用されることができる。その上、ピア解析器１７０８は、異種ワイヤレス端末１７２０からブロードキャスト信号を得ることができる。ピア解析器１７０８は、異種ワイヤレス端末１７２０を検出し、および／または異種ワイヤレス端末１７２０を識別するために、得られた信号を評価することができる。
【０１１２】
ピア発見コミュニケータ１７０４によって実施されるピア発見は、パッシブとすることができる。さらに、ピア発見は対称的とすることができ、したがって、ワイヤレス端末２０２は異種ワイヤレス端末ＷＴ  Ａ、ＷＴ  ＢおよびＷＴ  ｎ  １７２０を検出し、識別することができ、これらの異種ワイヤレス端末１７２０はワイヤレス端末１７０２を検出し、識別することができる。しかしながら、第１のワイヤレス端末は第２のワイヤレス端末を検出し、識別することができるが、第２のワイヤレス端末は第１のワイヤレス端末を検出し、識別することができないことが企図される。さらに、検出および識別時に、ワイヤレス端末１７０２と（１つまたは複数の）異種ワイヤレス端末１７２０との間のさらなる通信（たとえば、ページング、トラフィック）は、実施されなくてもよいが、実施されることができる。
【０１１３】
ピア解析器１７０２は、現在時刻に存在していることが検出された異種ワイヤレス端末１７２０のリストを維持することができる。そのリストは、すべての異種ワイヤレス端末１７２０を含むことができ、あるいは、ワイヤレス端末１７０２の、またはワイヤレス端末１７０２を使用しているユーザの、事前定義された仲間リスト中のワイヤレス端末を含むことができる。時間が経つにつれて、一部の異種ワイヤレス端末１７２０が消えることがあるので（たとえば、対応するユーザが離れていくので）、または他の異種ワイヤレス端末１７２０が現れることがあるので（たとえば、対応するユーザが近づいてくるので）、このリストは発展する。ピア解析器１７０８は、新しい異種ワイヤレス端末１７２０をリストに追加し、または消えてゆく異種ワイヤレス端末１７２０をリストから削除することができる。一実施形態では、ピア解析器１７０８は、このリストをパッシブに維持する。この場合、第１のピアは、第２のピアの存在を検出し、第２のピアに知らせることなく第２のピアをそのリスト中に保持することができる。その結果、第２のピアは、第１のピアがすでに第２のピアをリスト中に保持していることを知らないことがある。対称性によって、ワイヤレスチャネルおよび干渉条件に応じて、第２のピアも、第１のピアの存在を検出し、第１のピアに通知することなく第１のピアをそのリスト中に保持することができる。別の実施形態では、第２のピアの存在を検出した後、第１のピアは、第２のピアに通知するために事前に信号を送信するので、第２のピアは、第１のピアが第２のピアと通信するためのデータトラフィックをまだ有していないが、第１のピアが第２のピアをリスト中にすでに保持していることをここで知る。第１のピアは、信号を送信するかどうかを選択的に決定することができる。たとえば、第１のピアは、事前定義された仲間リスト中の別のピアのみに信号を送信することができる。
【０１１４】
さらに、ワイヤレス端末１７０２およびその中のコンポーネントは、図１〜図１６に示す特徴のうちの１つまたは複数を実行するように構成されることができる。
【０１１５】
図１８は、ピアツーピアネットワーク中で互いに独立した伝送ＣＩＤ選択を実行するように構成されることができるワイヤレス端末の別の実施形態のブロック図である。ワイヤレス端末１８０２は、処理回路（たとえば、１つまたは複数の回路またはプロセッサ）と、ピアツーピア通信コントローラ１８１２と、ワイドエリアネットワーク（ＷＡＮ）コントローラ１８１０と、アンテナ１８０６に結合されたトランシーバ１８１４とを含むことができる。トランシーバ１８１４は、（ワイヤレス）送信機と（ワイヤレス）受信機とを含むことができる。ワイヤレス端末１８０２は、ＷＡＮ通信コントローラ１８１０を使用して、管理されたネットワークインフラストラクチャを介して通信することができ、および／または、ピアツーピア通信コントローラ１８１２を使用してピアツーピアネットワークを介して通信することができる。ピアツーピア通信を実行するとき、ワイヤレス端末１８０２は、図１〜図１６に示す特徴のうちの１つまたは複数を実行するように構成されることができる。
【０１１６】
本明細書で説明する１つまたは複数の態様によれば、ピアツーピア環境においてピアを発見し、識別することに関して推論がなされることができることを諒解されたい。本明細書で使用する「推論する」または「推論」という用語は、概して、イベントおよび／またはデータを介して捕捉された観察のセットから、システム、環境および／またはユーザの状態について推理する、またはその状態を推論するプロセスを指す。推論は、特定のコンテキストまたは動作を識別するために採用されることができ、または、たとえば、状態に関する確率分布を生成することができる。推論は確率、すなわち、データおよびイベントの考察に基づく当該の状態に関する確率分布の計算とすることができる。推論は、イベントおよび／またはデータのセットからより高いレベルのイベントを構成するために採用された技法を指すこともできる。そのような推論の結果として、イベントが近い時間的近傍で相関するか否かにかかわらず、またイベントおよびデータが１つまたは複数のイベントおよびデータの発生源に由来するかどうかにかかわらず、観察されたイベントおよび／または格納されたイベントデータのセットから新しいイベントまたは動作が構成されることになる。
【０１１７】
一例によれば、上記で提示された１つまたは複数の方法は、ピアツーピアネットワークにおいてピア発見信号のソースを識別することに関係する推論を行うことを含むことができる。別の例によれば、予想される信号フォーマットに一致するいくつかの検出された信号および／または検出された信号に関連するエネルギーレベルに基づいて、あるピアが近傍内に位置する確率を推定することに関して推論が行われることができる。上記の例は、本質的に例示的であり、行うことができる推論の回数、または本明細書で説明する様々な実施形態および／または方法に関してそのような推論を行う方法を限定するものではないことを諒解されたい。
【０１１８】
図１、図２、図３、図４、図５、図６、図７、図８、図９、図１０、図１１、図１２、図１３、図１４、図１５、図１６、図１７および／または図１８に示すコンポーネント、ステップ、および／または機能のうちの１つまたは複数は、単一のコンポーネント、ステップ、または機能に再構成し、および／または組み合わせることができ、あるいは、複数のコンポーネント、ステップ、または機能で実施されることができる。追加の要素、コンポーネント、ステップ、および／または機能が追加されることもできる。図１、図３、図１７および／または図１８に示す装置、デバイス、および／またはコンポーネントは、図２および／または図４〜図１６に記載する方法、特徴、またはステップのうちの１つまたは複数を実行するように構成または適合されることができる。本明細書で説明するアルゴリズムは、ソフトウェアおよび／または組込みハードウェアで効率的に実装できる。
【０１１９】
本出願で使用する「コンポーネント」、「モジュール」、「システム」などの用語は、ハードウェア、ファームウェア、ハードウェアとソフトウェアの組合せ、ソフトウェア、または実行中のソフトウェア、のいずれかのコンピュータ関連のエンティティを指すものとする。たとえば、コンポーネントは、これらに限定されないが、プロセッサ上で実行されるプロセス、プロセッサ、オブジェクト、実行可能ファイル、実行スレッド、プログラム、および／またはコンピュータとすることができる。例として、コンピューティングデバイス上で実行されるアプリケーションと、そのコンピューティングデバイスの両方をコンポーネントとされることができる。１つまたは複数のコンポーネントがプロセスおよび／または実行スレッド内に存在してよく、１つのコンポーネントが１つのコンピュータ上に配置され、および／または２つ以上のコンピュータ間に分散されてもよい。さらに、これらのコンポーネントは、様々なデータ構造を記憶している様々なコンピュータ可読媒体から実行することができる。コンポーネントは、１つまたは複数のデータパケット（たとえば、ローカルシステム中の、分散システム中の、および／または信号を介して他のシステムを用いるインターネットなどのネットワーク上の、別のコンポーネントと相互作用する１つのコンポーネントからのデータ）を有する信号によるなど、ローカルおよび／またはリモートプロセスを介して通信することができる。
【０１２０】
さらに、ワイヤレス端末に関して様々な実施形態が本明細書で説明される。ワイヤレス端末は、システム、加入者ユニット、加入者局、移動局、移動体、移動体デバイス、相手局、遠隔端末、アクセス端末、ユーザ端末、端末、ワイヤレス通信デバイス、ユーザエージェント、ユーザデバイス、またはユーザ機器（ＵＥ）と呼ばれることもある。ワイヤレス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、コンピューティングデバイス、またはワイヤレスモデムに接続された他の処理デバイスとすることができる。
【０１２１】
以下の説明で、構成の十分な理解が得られるように具体的な詳細が与えられる。ただし、その構成は、これらの具体的な詳細なしに実施されることができることを、当業者は理解されよう。たとえば、構成を不必要な詳細で不明瞭にしないために、回路がブロック図で示されることがある。他の場合、構成を不明瞭にしないために、よく知られている回路、構造および技法が詳細に示されることがある
また、構成が、フローチャートとして示されるプロセス、流れ図、構造図、またはブロック図として説明されることがあることに留意されたい。フローチャートは動作を逐次プロセスとして説明することがあるが、動作の多くは並行してまたは同時に実行されることができる。さらに、動作の順序は、並べ替えられることができる。プロセスは、その動作が完了すると終了される。プロセスは、方法、関数、プロシージャ、サブルーチン、サブプログラムなどに対応することがある。プロセスが関数に対応する場合、その終了は呼出し側関数またはメイン関数への関数の戻りに対応する。
【０１２２】
１つまたは複数の例および／または構成では、説明した機能は、ハードウェア、ソフトウェア、ファームウェア、またはそれらの組合せで実装されることができる。ソフトウェアで実装する場合、機能は、１つまたは複数の命令またはコードとしてコンピュータ可読媒体上に記憶されるか、あるいはコンピュータ可読媒体を介して送信されることができる。コンピュータ可読媒体は、コンピュータ記憶媒体と、ある場所から別の場所へのコンピュータプログラムの転送を可能にするいかなる媒体をも含む通信媒体との両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、もしくは命令またはデータ構造の形の所望のプログラムコード手段を搬送または記憶するために使用でき、汎用または専用コンピュータあるいは汎用または専用プロセッサによってアクセスできる任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線およびマイクロ波などのワイヤレス技術は、媒体の定義に含まれる。本明細書では、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、この場合、ディスク（disk）は、通常、データを磁気的に再生し、ディスク（disc）はデータをレーザで光学的に再生する。上記の組合せもコンピュータ可読媒体の範囲内に含める。
【０１２３】
さらに、記憶媒体は、読取り専用メモリ（ＲＯＭ）、ランダムアクセスメモリ（ＲＡＭ）、磁気ディスク記憶媒体、光記憶媒体、フラッシュメモリデバイス、および／または情報を記憶するための他の機械可読媒体を含む、データを記憶するための１つまたは複数のデバイスを表す。
【０１２４】
さらに、構成は、ハードウェア、ソフトウェア、ファームウェア、ミドルウェア、マイクロコード、またはそれらの任意の組合せによって実装されることができる。ソフトウェア、ファームウェア、ミドルウェア、またはマイクロコードで実装した場合、必要なタスクを実行するためのプログラムコードまたはコードセグメントは記憶媒体または（１つまたは複数の）他の記憶装置などコンピュータ可読媒体中に記憶されることができる。プロセッサは、必要なタスクを実行することができる。コードセグメントはプロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容を引き渡すか、および／または受信することによって、別のコードセグメントまたはハードウェア回路に結合されることができる。情報、引数、パラメータ、データなどは、メモリ共有、メッセージパッシング、トークンパッシング、ネットワーク送信などを含む適切な手段を介して引き渡される、転送される、または送信されることができる。
【０１２５】
さらに、本明細書で開示する構成に関連して説明する様々な例示的な論理ブロック、モジュール、回路、およびアルゴリズムステップは、電子ハードウェア、コンピュータソフトウェア、または両方の組合せとして実装されることができることを、当業者は諒解されよう。ハードウェアとソフトウェアのこの互換性を明確に示すために、様々な例示的なコンポーネント、ブロック、モジュール、回路、およびステップが、上記では概してそれらの機能に関して説明された。そのような機能は、ハードウェアで実装されるかソフトウェアで実装されるかは、システム全体に課せられた特定の適用および設計上の制約に依存する。
【０１２６】
本明細書で説明する様々な特徴は、様々なシステムで実装されることができる。たとえば、副マイクロホンカバー検出器（secondary microphone cover）は、単一の回路またはモジュール中に、別々の回路またはモジュール上で実装され、１つまたは複数のプロセッサによって実行され、機械可読またはコンピュータ可読媒体中に組み込まれたコンピュータ可読命令によって実行され、および／またはハンドヘルドデバイス、モバイルコンピュータおよび／または移動電話中で実施されることができる。
【０１２７】
上記の構成は例にすぎず、特許請求の範囲を限定するものと解釈すべきではないことに留意されたい。構成についての説明は、例示的なものであり、特許請求の範囲の範囲を限定するものではない。したがって、本教示は、他のタイプの装置、ならびに多くの代替形態、修正形態、および変更形態に容易に適用できることが当業者には明らかであろう。
【図１】
2010533435.tif 000003
【図２】
2010533435.tif 000004
【図３】
2010533435.tif 000005
【図４】
2010533435.tif 000006
【図５】
2010533435.tif 000007
【図６】
2010533435.tif 000008
【図７】
2010533435.tif 000009
【図８】
2010533435.tif 000010
【図９Ａ】
2010533435.tif 000011
【図９Ｂ】
2010533435.tif 000012
【図１０】
2010533435.tif 000013
【図１１】
2010533435.tif 000014
【図１２】
2010533435.tif 000015
【図１３】
2010533435.tif 000016
【図１４】
2010533435.tif 000017
【図１５】
2010533435.tif 000018
【図１６】
2010533435.tif 000019
【図１７】
2010533435.tif 000020
【図１８】
2010533435.tif 000021
【手続補正書】
【提出日】平成22年6月14日(2010.6.14)
【手続補正１】
【補正対象書類名】明細書
【補正対象項目名】０００１
【補正方法】変更
【補正の内容】
【０００１】
米国特許法第１１９条に基づく優先権の主張
本特許出願は、本出願の譲受人に譲渡され、参照により本明細書に明白に組み込まれる、２００７年７月１０日に出願された「Ａｐｐａｒａｔｕｓ  ａｎｄ  Ｍｅｔｈｏｄ  ｏｆ  Ｇｅｎｅｒａｔｉｎｇ  ａｎｄ  Ｍａｉｎｔａｉｎｉｎｇ  Ｏｒｔｈｏｇｏｎａｌ  Ｔｒａｎｓｍｉｓｓｉｏｎ  Ｉｄｅｎｔｉｆｉｃａｔｉｏｎｓ  （ＣＩＤｓ）  ｆｏｒ  Ｗｉｒｅｌｅｓｓ  Ｎｅｔｗｏｒｋｓ」と題する米国仮出願第６０／９４８，８８２号の優先権を主張する。
【手続補正２】
【補正対象書類名】明細書
【補正対象項目名】００３３
【補正方法】変更
【補正の内容】
【００３３】
図２は、ワイヤレス端末間でピアツーピア通信接続が確立された後、トラフィックを移送するためにワイヤレス端末によって使用されるトラフィックチャネルスロット用のタイミングシーケンスの一例を示している。各トラフィックチャネルスロット２１０は、トラフィック管理チャネル２０１とトラフィックチャネル２０３とを含むことができる。トラフィック管理チャネル２０１は、トラフィックチャネル２０３におけるトラフィックデータ送信に関係するシグナリングに使用される。接続スケジューリングセグメント２０２とレートスケジューリングセグメント２０４と肯定応答セグメント２０８とが集合的にトラフィック管理チャネル２０１と呼ばれる。データ送信セグメント２０６は、トラフィックチャネル２０３と呼ばれることがある。図２に示す接続スケジューリングセグメント２０２、レートスケジューリングセグメント２０４、データセグメント２０６および肯定応答２０８は、トラフィックスロットを備える。
【手続補正３】
【補正対象書類名】明細書
【補正対象項目名】００４６
【補正方法】変更
【補正の内容】
【００４６】
送信機端末は、ある近隣受信機端末との通信を開始しようとするとき、その近傍で使用されていない１つまたは複数の伝送ＣＩＤを最初に選択する。同期式ワイヤレスネットワークでは、これは、遅い時間スケール（slow time scale）で、たとえば毎秒１回、ＣＩＤブロードキャスト期間６０４を導入することによって達成されることができる。概して、ＣＩＤブロードキャスト期間をページング期間６０６と同じにし、端末が会話を開始するために互いにピングすることは意味がある。
【手続補正４】
【補正対象書類名】明細書
【補正対象項目名】００６０
【補正方法】変更
【補正の内容】
【００６０】
好ましい一実施形態では、第１の端末８１８は、第２の端末８２０がＡ２  ８０６とＢ２  ８０８のどちらのリソース（Ａ２またはＢ２のいずれか）を選択することになるかを知っている。これが可能なのは、第１の端末８１８が、第２の端末８２０との接続８２２を有しており、第２の端末８２０がどのように選択することができるかを知っているからである。たとえば、第２の端末８２０は、リソースＡ２  ８０６中のＣＩＤブロードキャスト信号を送信するように選択することができる。図７に記載するように、第２の端末８２０の存在を確認するために、第１の端末８１８はモニタして、ＣＩＤに対応するＣＩＤブロードキャスト信号８１２がリソースＡ２  ８０６中で受信されたかどうかを確かめる。そうである場合、第１の端末８１８は、接続８２２がまだ機能していると結論付けることができる。さらなる動作は不要である。そうでない場合、第１の端末８１８は、接続８２２が失われたと結論付け、次いで、第１の端末８１８は、接続８２２を解体し、ＣＩＤに対応する位置８１０および８１４においてＣＩＤブロードキャスト信号を送信しないようにすることによってＣＩＤを放棄する。その上、第１の端末８１８は、ＣＩＤに対応するＣＩＤブロードキャスト信号８１６がリソースＢ２  ８０８中で受信されたかどうかをモニタする。そうである場合、第１の端末８１８は、別の端末も同じＣＩＤを使用している、すなわち、ＣＩＤ衝突が検出されたと結論付ける。第１の端末８１８は、そのようなＣＩＤ衝突を第２の端末８２０に通知することができ、したがって、それらの接続８２２は異なるＣＩＤに変更する必要がある。
【手続補正５】
【補正対象書類名】特許請求の範囲
【補正対象項目名】請求項３１
【補正方法】変更
【補正の内容】
【請求項３１】
前記接続識別子が近傍の他の接続によって利用されているかどうかを判断するために、接続識別子ブロードキャストチャネルをモニタするための手段と、
前記接続識別子が近傍の別の接続によって利用されていないと判断された場合、前記接続識別子を選択するための手段と、
をさらに備える、請求項３０の第１のデバイス。
【手続補正６】
【補正対象書類名】図面
【補正対象項目名】図１２
【補正方法】変更
【補正の内容】
【図１２】
2010533435.tif 000022
【国際調査報告】
2010533435.tif 000023
2010533435.tif 000024
2010533435.tif 000025